(57)【特許請求の範囲】
【請求項１】
マスクであって、前記マスクは本体覆い部（８３）は可撓性シートから成り、口と鼻を覆う口鼻マスク（５５）または、本体覆い部（８３）が略板状の部材から成る顔面マスク（９１）であって、
前記口鼻マスク（５５）または、顔面マスク（９１）は、空気浄化部（１２）を備えた装置である携帯浄化器（１）からの浄化空気（２９）を排気する為の浄化気口（２３）を、覆う様にして前記携帯浄化器（１）に、前記口鼻マスク（５５）と一体に備えられた垂れ幕部（６１）を係止して用いられ、
前記口鼻マスク（５５）は、人の顔において、目の下の部分から下方の鼻と口を覆い、前記口鼻マスク（５５）の、目の下の部分から下方の鼻と口を覆う部分の略全体が可撓性シートによって形成され、
前記顔面マスク（９１）は、略板状の部材からなり、人の顔の前面側の口または、口と鼻または、顔面の前面の略全体を覆い、
前記垂れ幕部（６１）は、
マスク係止部Ａ（６３）または幕位置保持部（６２）を備え、前記マスク係止部Ａ（６３）は、前記垂れ幕部（６１）に設けられた前記携帯浄化器（１）との係止部であり、
前記幕位置保持部（６２）は、前記垂れ幕部（６１）の下部近傍に設けられた重りまたは芯材であり、
前記垂れ幕部（６１）は、前記本体覆い部（８３）と略同一の面が延長された延長面を備えて、
前記本体覆い部（８３）の下側に懸垂して設けられた部分であり、前記口鼻マスク（５５）を人の顔に装着した際に顎下に垂れ下がっている可撓性シートであり、前記浄化気口（２３）から排気された浄化された空気を、前記人の顔の方へ誘導可能とすることを特徴とするマスク。
【請求項２】
前記垂れ幕部（６１）は、マスク係止部Ａ（６３）を備えたことを特徴とする請求項１に記載のマスク。
【請求項３】
前記垂れ幕部（６１）は、幕位置保持部（６２）を備えたことを特徴とする請求項１に記載のマスク。
【請求項４】
前記マスクが、可撓性シートから成り、口と鼻を覆う口鼻マスク（５５）であることを特徴とする請求項１に記載のマスク。
【請求項５】
前記マスクは、本体覆い部（８３）８３が、略板状の部材から成り、顔面の前面側の一部または前面側の略全面を覆う顔面マスク（９１）であることを特徴とする請求項１に記載のマスク。
【請求項６】
前記垂れ幕部（６１）は、垂れ幕重複部（６６）であり、該垂れ幕重複部（６６）は、
２重構造またはそれ以上の多重構造を備え、前記垂れ幕重複部（６６）によって挟まれた中空空間を重複中空部（６７）とし、前記重複中空部（６７）は、重複開口Ａ（６８）及び重複開口Ｂ（６９）を備え、
前記本体覆い部（８３）と顔の間に設けられた中空部がマスク中空（５８）であり、該マスク中空（５８）を形成する前記顔の前面を覆う部分の略板状の部材を、本体覆い部（８３）とし、
前記重複中空部（６７）は、前記垂れ幕部（６１）を備えた略筒状であり、
前記垂れ幕部（６１）は、前記本体覆い部（８３）と略同一の面が延長された延長面を備えて、
前記本体覆い部（８３）の下側に懸垂して設けられた部分であり、前記口鼻マスク（５５）を人の顔に装着した際に顎下に垂れ下がっている可撓性シートであり、
前記本体覆い部（８３）の面に前記略筒状の前記重複中空部（６７）を前記マスク中空（５８）に連通あるいは挿通させる為の穴を備えず、該穴の中を前記重複中空部（６７）は通らずに前記重複中空部（６７）は前記マスク中空（５８）内に連通して前記垂れ幕部（６１）は前記本体覆い部（８３）に設けられ、
前記重複中空部（６７）の開口部である、前記重複開口Ａ（６８）は、前記マスク中空（５８）内に開口し、前記重複中空部（６７）の開口部である前記重複開口Ｂ（６９）は外気側に開口し、
略筒状の前記重複中空部（６７）は、前記口鼻マスク（５５）を人の顔に装着した際に、前記人の前半身の略前側に配置されることを特徴とする請求項５に記載のマスク。
【請求項７】
前記垂れ幕部（６１）が、前記携帯浄化器（１）に巻いて係止されることが可能であり、前記マスク係止部Ａ（６３）は、前記垂れ幕部（６１）が前記携帯浄化器（１）に巻いた状態を保持可能である、巻保持構造部（９３）であることを特徴とする請求項１から請求項６のいずれかに記載のマスク。
【請求項８】
前記マスク係止部Ａ（６３）が、曲げた状態を保持可能な略棒状の部材であるかまたは、垂れ幕部（６１）自体が塑性変形する構成であるかまたは、略リング状であるか、または略Cの字状であり、前記携帯浄化器（１）が、前記曲げた状態を保持可能な略棒状の部材または、略リング状または略Cの字状の部材の中に通す様にして設けられることを特徴とした請求項１から請求項７のいずれかに記載のマスク。
【請求項９】
前記口鼻マスク（５５）が、重複中空部（６７）または、前記人の顎の部分と、前記口鼻マスク（５５）の間のエア通路（９４）を開いた状態で保持可能な、開口スペーサーを備えたことを特徴とした請求項１から請求項８のいずれかに記載のマスク。
【請求項１０】
前記開口スペーサー（８２）が、曲げた状態を保持可能に塑性変形する素材であり、前記人の顎の部分と、前記口鼻マスク（５５）の間のエア通路（９４）を開いた状態及び閉じた状態を保持可能な、開口スペーサー（８２）であることを特徴とした請求項９に記載のマスク。 
【請求項１１】
前記垂れ幕部（６１）が前記マスク中空（５８）を構成する可撓性シートに係止して設けられ、前記垂れ幕部（６１）の上側の縁部が、前記マスク中空（５８）を構成する可撓性シートの下の縁部に係止して、前記垂れ幕部（６１）の面が、前記マスク中空（５８）を構成する可撓性シートである本体覆い部（８３）の面と、略同一の面が延長された延長面を備えて、
設けられたことを特徴とする請求項１から請求項１０のいずれかに記載のマスク。
【請求項１２】
前記垂れ幕部（６１）が前記マスク中空（５８）を構成する可撓性シートに着脱可能に係止して設けられ、前記垂れ幕部（６１）の上側の縁部が、前記マスク中空（５８）を構成する可撓性シートの下の縁部に着脱可能に係止して、前記垂れ幕部（６１）の面が、前記マスク中空（５８）を構成する可撓性シートである本体覆い部（８３）の面と、略同一の面が延長された延長面を備えて、
設けられたことを特徴とする請求項１から請求項1１のいずれかに記載のマスク。
【請求項１３】
請求項１２に記載の垂れ幕部（６１）であって、前記垂れ幕部は、可撓性シートからなり、
着脱可能な係止部を備え、
垂れ幕重複部(６６)から成る重複中空部（６７）を備え、
マスク中空（５８）を構成する可撓性シートに、前記着脱可能な係止部にて着脱可能に係止して設けて用いられ、
前記垂れ幕部（６１）の上側の縁部が、前記マスク中空（５８）を構成する可撓性シートの下の縁部に着脱可能に係止して、前記垂れ幕部（６１）の面が、前記マスク中空（５８）を構成する可撓性シートである本体覆い部（８３）の面と、略同一の面が延長された延長面を備えて、
前記マスク中空（５８）に着脱可能に設けて用いられることを特徴とする垂れ幕部（６１）。
【請求項１４】
前記垂れ幕部は、垂れ幕重複部(６６)から成る重複中空部（６７）を備え、前記重複中空部（６７）は、開口スペーサー（８２）を備え、前記開口スペーサー（８２）は、前記重複中空部（６７）のエア通路（９４）を、通気可能に保持可能である部材であることを特徴とする請求項１３に記載の垂れ幕部（６１）。
【発明の詳細な説明】
【技術分野】
【０００１】
本発明は、人が吸う空気の、自由度の高い、マスク構造とマスクユニットに関する。
【背景技術】
【０００２】
従来からマスク等のウィルスの感染抑止のシステムは、多種多様に提案されている。しかしながら、一般的な使用状況において、自由度高く、手軽で、ウィルスや花粉、空気を浄化し、効率的に送気する構成はまだまだ課題が多いものである。
【０００３】
また、一般的なマスクは、生地自体や、顔とマスクとの隙間から異物等が入り、課題が多い物である。
【０００４】
また、清浄した空気を効率的に、手軽に、自由度が高く人の口に送気するということについても、課題が多いものである。
【０００５】
また、一般的なマスクに付着したウィルス等が感染の原因となるという課題もある。
【０００６】
また、不特定多数の、様々な人や患者が出入りし、診察や支払い等を待つ、待合所やスペースにおいて、係るスペースに排出されたウィルスや菌による院内感染が発生するという問題がある。
【０００７】
また、家庭内において、インフルエンザ等のウィルス感染した患者による、家庭内感染が、濃厚接触も多く、また、密閉された同一空間内に長く同居することによる感染を引き起こし易いという問題がある。
【０００８】
また、様々な生活シーン、職場や、家庭や、公共交通機関での移動など、ウィルス等に晒される機会は多く、手軽で、効率的で、自由度の高いマスク、または、マスクに準じる新しい技術が求められているといえる。
【０００９】
そこで、従来からも種々の技術が提案されている。例えば、特許文献１には、発明の名称を「携帯型空気清浄用具」とする技術が開示され、公知技術となっている（特許文献１参照）。具体的には「  空気清浄化気体を発生する物質を収納した積層材料からなる包装体に、係止部と剥離シートの剥離により容易に開口する開口形成部が付設され、係止具が付帯していることを特徴とする空気清浄機能を有する携帯型の空気清浄用具。」というものである。しかしながら、特許文献１に記載の発明は、前記問題の解決には至っていない。
【００１０】
また、特許文献２には、発明の名称を「携帯用空気清浄機」とする技術が開示され、公知技術となっている（特許文献２参照）。具体的には「  本発明の携帯用空気清浄器は、片手で持てる程度の寸法とされ、その内部に煙が通過する流路２Ａが形成された筐体２と、一端が開放され他端が筐体２の流路２Ａに接続された吸込部材３と、この吸込部材３の下流の流路２Ａ上に設けられ、煙の成分を吸着し除去する除去吸着部（フィルター４及び吸着剤５）と、この除去吸着部の下流の流路２Ａ上に設けられ、空気を上流から吸引し下流へと排出する吸排部（ファン６及びモータ７）と、この吸排部の下流側の流路上に設けられ、該吸排部を通過した空気に臭いを添加する芳香部（芳香剤８）と、筐体の一側部に着脱自在に設けられると共にその上部が吸込部材に接続された灰皿９とを備えたものである。」というものである。
しかしながら、特許文献２に記載の発明は、たばこの煙に特化した構成であり、一般的な使用等において、簡易で、効率的で、自由度が高い構成であるとは言えず、前記問題の解決には至っていない。
【００１１】
また、特許文献３には、発明の名称を「ブローチ型空気清浄器具」とする技術が開示され、公知技術となっている（特許文献３参照）。
具体的には「空気清浄化気体を発生する物質を保管する収納部１と空気清浄化気体を放散可能な開口部を備えた着脱自在な蓋部２により閉じられている蓋付容器に対して、係止具が付帯している。」というものである。
しかしながら、特許文献３に記載の発明は、前記問題の解決には至っていない。
【００１２】
また、特許文献４には、本願発明者による発明の名称を「エアマスクとマスクユニット」とする技術が出願されている（特許文献４参照）。
具体的には「マスクの略全体が可撓性シートによって形成され、垂れ幕重複部（６６）を備えた垂れ幕部（６１）を備え、重複中空部（６７）は、重複開口Ａ（６８）及び重複開口Ｂ（６９）を備え、空気浄化部（１２）を備えた装置である携帯浄化器（１）からの浄化空気（２９）を排気する為の浄化気口（２３）を、前記口鼻マスク（５５）と一体に備えられた重複開口Ｂ（６９）に挿入して用いられる」というものである。
しかし、本願発明者は、更なる技術の発展と、使い易さ、あるいはより高い効果、有用性を実現すべく、更なる技術の発展、改善に尽くすべきものであるといえる。
【先行技術文献】
【特許文献】
【００１３】
【特許文献１】特開２０１４−４５８９９号
【特許文献２】特開２００１-８６７５号
【特許文献３】実用新案登録第３１７９６８５号
【特許文献４】特願２０２０−０７２５９６
【発明の概要】
【発明が解決しようとする課題】
【００１４】
人の移動に合わせて、簡易で手軽で自由度が高く、人が吸う空気中のウィルスや菌、花粉、あるいは汚染された空気やガスを無毒化し、効率的に送気するマスクあるいはマスクユニットを提供する。
【課題を解決するための手段】
【００１５】
本発明に係るマスクは、本体覆い部が、可撓性シートから成り、口と鼻を覆う口鼻マスク（５５）または、本体覆い部８３が略板状の部材から成る顔面マスクであって、
前記口鼻マスク（５５）または、顔面マスクは、空気浄化部（１２）を備えた装置である携帯浄化器（１）からの浄化空気（２９）を排気する為の浄化気口（２３）を、覆う様にして前記携帯浄化器（１）に、前記口鼻マスク（５５）と一体に備えられた垂れ幕部を係止して用いられ、
前記口鼻マスクは、人の顔において、目の下の部分から下方の鼻と口を覆い、前記口鼻マスクの、目の下の部分から下方の鼻と口を覆う部分の略全体が可撓性シートによって形成され、
前記顔面マスクは、略板状の部材からなり、人の顔の前面側の口または、口と鼻または、顔面の前面の略全体を覆い、
前記垂れ幕部（６１）は、
マスク係止部Ａ（６３）または幕位置保持部（６２）を備え、前記マスク係止部Ａ（６３）は、前記垂れ幕部（６１）に設けられた前記携帯浄化器（１）との係止部であり、
前記幕位置保持部（６２）は、前記垂れ幕部６１の下部近傍に設けられた重りまたは芯材であり、
前記垂れ幕部（６１）は、前記本体覆い部と略同一の面が延長された延長面を備えて、
前記本体覆い部の下側に懸垂して設けられた部分であり、前記口鼻マスク（５５）を人の顔に装着した際に顎下に垂れ下がっている可撓性シートであり、前記浄化気口（２３）から排気された浄化された空気を、前記人の顔の方へ誘導可能とする構成を採用する。
【００１６】
また、本発明は、前記マスクが、可撓性シートから成り、口と鼻を覆う口鼻マスク（５５）である構成を採用することもできる。
【００１７】
また、本発明は、前記マスクは、本体覆い部８３が、略板状の部材から成り、顔面の前面側の一部または前面側の略全面を覆う顔面マスク９１である構成を採用することもできる。
【００１８】
また、本発明は、前記垂れ幕部（６１）は、垂れ幕重複部（６６）であり、該垂れ幕重複部（６６）は、
２重構造またはそれ以上の多重構造を備え、前記垂れ幕重複部（６６）によって挟まれた中空空間を重複中空部（６７）とし、前記重複中空部（６７）は、重複開口Ａ（６８）及び重複開口Ｂ（６９）を備え、
前記本体覆い部と顔の間に設けられた中空部がマスク中空（５８）であり、該マスク中空（５８）を形成する前記顔の前面を覆う部分の略板状の部材を、本体覆い部とし、
前記重複中空部（６７）は、前記垂れ幕部（６１）を備えた略筒状であり、
前記垂れ幕部（６１）は、前記本体覆い部と略同一の面が延長された延長面を備えて、
前記本体覆い部の下側に懸垂して設けられた部分であり、前記口鼻マスク（５５）を人の顔に装着した際に顎下に垂れ下がっている可撓性シートであり、
前記本体覆い部の面に前記略筒状の前記重複中空部（６７）を前記マスク中空（５８）に連通あるいは挿通させる為の穴を備えず、該穴の中を前記重複中空部（６７）は通らずに前記重複中空部（６７）は前記マスク中空（５８）内に連通して前記垂れ幕部（６１）は前記本体覆い部に設けられ、
前記重複中空部（６７）の開口部である、前記重複開口Ａ（６８）は、前記マスク中空（５８）内に開口し、前記重複中空部（６７）の開口部である前記重複開口Ｂ（６９）は外気側に開口し、
略筒状の前記重複中空部（６７）は、前記口鼻マスク（５５）を人の顔に装着した際に、前記人の前半身の略前側に配置される
構成を採用することもできる。
【００１９】
また、本発明は、前記垂れ幕部（６１）が、前記携帯浄化器（１）に巻いて係止されることが可能であり、前記マスク係止部Ａ（６３）は、前記垂れ幕部（６１）が前記携帯浄化器（１）に巻いた状態を保持可能である、巻保持構造部である構成を採用することもできる。
【００２０】
また、本発明は、前記マスク係止部Ａ（６３）が、曲げた状態を保持可能な略棒状の部材であるかまたは、垂れ幕部自体が塑性変形する構成であるかまたは、略リング状であるか、または略Cの字状であり、前記携帯浄化器（１）が、前記曲げた状態を保持可能な略棒状の部材または、略リング状または略Cの字状の部材の中に通す様にして設けられる構成を採用することもできる。
【００２１】
また、本発明は、前記口鼻マスク（５５）が、前記人の顎の部分と、前記口鼻マスク（５５）の間のエア通路を開いた状態で保持可能な、開口スペーサーを備えた構成を採用することもできる。
【００２２】
また、本発明は、前記開口スペーサーが、曲げた状態を保持可能な略棒状またはであり、前記人の顎の部分と、前記口鼻マスク（５５）の間のエア通路を開いた状態及び閉じた状態を保持可能な、開口スペーサーである構成を採用することもできる。
【００２３】
また、本発明は、前記垂れ幕部（６１）が前記マスク中空（５８）を構成する可撓性シートに係止して設けられ、前記垂れ幕部（６１）の上側の縁部が、前記マスク中空（５８）を構成する可撓性シートの下の縁部に係止して、前記垂れ幕部（６１）の面が、前記マスク中空（５８）を構成する可撓性シートである本体覆い部の面と、略同一の面が延長された延長面を備えて、設けられた
構成を採用することもできる。
【００２４】
また、本発明は、前記垂れ幕部（６１）が前記マスク中空（５８）を構成する可撓性シートに着脱可能に係止して設けられ、前記垂れ幕部（６１）の上側の縁部が、前記マスク中空（５８）を構成する可撓性シートの下の縁部に着脱可能に係止して、前記垂れ幕部（６１）の面が、前記マスク中空（５８）を構成する可撓性シートである本体覆い部の面と、略同一の面が延長された延長面を備えて、
設けられた構成を採用することもできる。
【００２５】
本発明に係る マスクユニット（２）が、携帯浄化器（１）と口鼻マスク（５５）がセットであるユニットであって、
前記と口鼻マスク（５５）が、
口と鼻を覆う口鼻マスク（５５）であって、
前記口鼻マスク（５５）は、空気浄化部（１２）を備えた装置である携帯浄化器（１）からの浄化空気（２９）を排気する為の浄化気口（２３）を、略前方から覆うかまたは巻く様にして前記携帯浄化器（１）に、垂れ幕部を係止して用いられ、
前記垂れ幕部は、前記口鼻マスク（５５）と一体に備えられた可撓性のシートであり、
前記口鼻マスクは、人の顔において、目の下の部分から下方の鼻と口を覆い、前記口鼻マスクの、目の下の部分から下方の鼻と口を覆う部分の略全体が可撓性シートによって形成され、
前記垂れ幕部（６１）は、マスク係止部Ａ（６３）を備え、前記マスク係止部Ａ（６３）は、前記垂れ幕部（６１）に設けられた前記携帯浄化器（１）との係止部であり、
前記垂れ幕部（６１）は、前記本体覆い部と略同一の面が延長された延長面を備えて、
前記本体覆い部の下側に懸垂して設けられた部分であり、前記口鼻マスク（５５）を人の顔に装着した際に顎下に垂れ下がっている可撓性シートであり、前記浄化気口（２３）から排気された浄化された空気を、前記人の顔の方へ誘導可能とし、
前記携帯浄化器（１）は空気浄化部（１２）を備えた装置であり、前記携帯浄化器（１）からの浄化空気（２９）を排気する為の浄化気口（２３）を備え、
前記浄化気口（２３）の前面または前記浄化気口（２３）を巻くようにして前記垂れ幕部が前記携帯浄化器（１）に設けられ、
前記浄化気口（２３）から送風された浄化空気（２９）が、前記垂れ幕部をガイドとして、前記口鼻マスク（５５）と人（４９）の顔の間に設けられた中空部であるマスク中空（５８）に送気され、人（４９）の鼻及び口周辺に流すことによって、前記マスク中空内への外気からの浄化されていない空気の侵入を抑制することが可能である構成を採用する。
【００２６】
また、本発明は、前記マスク係止部Ａ（６３）が、曲げた状態を保持可能な略棒状の部材であるかまたは、略リング状であるか、または略Cの字状であり、前記携帯浄化器（１）が、前記曲げた状態を保持可能な略棒状の部材または、略リング状または略Cの字状の部材の中に通す様にして設けられる構成を採用することもできる。
【発明の効果】
【００２７】
本発明に係る携帯浄化器あるいはマスクユニットによれば、空気中のウィルスや有毒な物質や花粉等を無毒化、除菌して、人の体内に取り込むのを抑制することができ、症状の軽減や、感染等を予防可能であるという優れた効果を発揮する。
【００２８】
本発明に係る携帯浄化器あるいはマスクユニットによれば、容易に、自由度が高く空気中のウィルスや有毒な物質や花粉等を無毒化、除菌して、効率的に人の鼻口に送気し、つまりは、ユニットのコンパクト化も図れ、症状の軽減や、感染等を予防可能であるという優れた効果を発揮する。
【００２９】
本発明に係る携帯浄化器あるいはマスクユニットによれば、様々なウィルスや感染症の不特定多数の、様々な人々が出入りする病院や空港、交通機関などにおいても、場所を選ばず空気を浄化、殺菌、無毒化して、容易に、効率的に、自由度高く体内に取り込むことが可能であるという優れた効果を発揮する。
【００３０】
本発明に係る携帯浄化器あるいはマスクユニットによれば、家庭内において、インフルエンザ等のウィルス感染した患者による、家庭内感染が、濃厚接触も多く、また、密閉された同一空間内に長く同居することによる感染を引き起こし易いという家族感染を、容易に、効率的に、自由度高く抑制することができるという優れた効果を発揮する。
【００３１】
本発明に係る携帯浄化器あるいはマスクユニットによれば、一定の空間から発生する、臭いやガスを含んだ空気を吸って体内に取り込む際に、容易に、効率的に、自由度高く浄化、無毒化可能であるという優れた効果を発揮する。
【図面の簡単な説明】
【００３２】
【図１】本発明に係る携帯浄化器の基本説明図である。
【図２】本発明に係る方向定め具の構成例の説明図である。
【図３】本発明に係る蛇腹首の構成例の説明図である。
【図４】本発明に係る携帯浄化器が放散抑制板を備えた構成の例の説明図である。
【図５】本発明に係る携帯浄化器内の構成の例の説明図である。
【図６】本発明に係る空気浄化部の構成の例の説明図である。
【図７】本発明に係る携帯浄化器と口鼻マスクのマスクユニットの構成の例の説明図である。
【図８】本発明に係る携帯浄化器と口鼻マスクのマスクユニットの構成の垂れ幕部他の例の説明図である。
【図９】本発明に係る携帯浄化器あるいはマスクユニットの構成の応用例の説明図である。
【図１０】本発明に係るマスクユニットの口鼻マスクのマスク重複部の構成例の説明図である。
【図１１】本発明に係るマスクユニットの口鼻マスクのマスク重複部の構成例の正面図による説明図である。
【図１２】本発明に係るマスクユニットの口鼻マスクにおける、顔面マスクの構成例の正面図による説明図である。
【発明を実施するための形態】
【００３３】
本発明に係る携帯浄化器１は、体に装着され、浄化された空気を顔面近傍に送風することによって、ウィルスや花粉や有毒なガスや物質を、人４９が呼吸によって取り込むことを抑制する構成である。
また、本発明に係るマスクユニット２は、係る携帯浄化器１と顔や口あるいは鼻を覆う顔面マスク９１あるいは口鼻マスク５５とのユニットである構成である。
以下、図面に基づいて本発明に係る携帯浄化器１について説明する。
但し、図面に示した形状や配置構成等についてはあくまでも例示であり、本願発明の特徴的な効果が発揮される範囲において変更することを可能であり、また、それぞれの図の例示の構成は、それぞれお互いの図面の構成の例において、応用可能であるものとする。
【００３４】
図１は、携帯浄化器１の1つの基本構成を示し、中空状の略筒状の感染防止筒２１内に、ファン１１と空気浄化部１２を備え、係る、ファン１１が回転することによって、係る感染防止筒２１の下部に設けられた大気中の空気取り入れ口である未浄気口２４から、インフルエンザウィルス等のウィルスや花粉、有毒ガス、悪臭、有害物質等を含んでいるかもしれない空気である未浄空気２８が取り入れられ、係る感染防止筒２１内の空気浄化部１２で浄化され、浄化気口２３から排気された係る浄化あるいは除菌、無毒化、不活化された空気である浄化空気２９が、人４９の顔の前に送気され、係る人４９の顔の前に係るエアカーテンを作り、係る人４９が未浄空気２８の取込みを抑制する構成の例である。
【００３５】
また、首から係る送気される構成の携帯浄化器１が設けられることによって、常に安定的に係る人４９の顔の前に浄化された空気が送気される構成であり、安定的に浄化空気２９を顔の前に送気可能であり、係る人４９の健康面の予防あるいは悪化の抑制に貢献可能であり、有用である。
また、係る浄化空気２９は、鼻や口周辺へ供給されることによって係る人４９が、安定的に浄化された空気を呼吸することが可能であるだけでなく、係る浄化空気２９は、眼の方向にも送風される構成であるので、係る眼がウィルスや、花粉や、有害物質等に晒されることによる健康被害を抑制することが可能な構成であり、有用である。
【００３６】
図１（ａ）の構成の例は、係る携帯浄化器１を体装着具３４である首紐３５によって、首から吊設した人４９の顔の前に、ファン１１にて送気された浄化空気２９が流れる模式図であり、係る浄化空気２９が、係る人４９の顔の前にエアカーテンを創出することによって、未浄空気２８の吸入を抑止することが可能な構成の例であり、係る浄化空気２９によるエアカーテンによって、係る人４９が未浄空気２８を吸入するのを抑止する構成の例の正面図である。
【００３７】
係る構成の携帯浄化器１は、感染防止筒２１の未浄気口２４から、取り入れた未浄空気２８が、空気浄化部１２を通過し、係る空気浄化部１２で浄化あるいは無毒化、不活化、殺菌されて、浄化気口２３側を向いたファン１１にて係る浄化気口２３から人４９の口の方向に送気される構成の例である。
係る空気浄化部１２は、未浄気口２４から取り入れられてきた未浄空気２８を浄化、または殺菌する構成の部分であり、係る空気浄化部１２の構成は、加熱によるものでも良いし、または紫外線によるものでも、光触媒によるものでも、活性炭によるものでも、または炭によるものでも、またはシリカゲルによるものでも、フィルターによる濾過によるものでも、高吸水性高分子によるものでも、軽石やセラミックによるものでも良く、その他、本発明の技術的思想の範囲内、即ち、同一の作用効果を発揮できる構成、形状あるいは寸法の範囲内で変更することができるものである。
【００３８】
係る空気浄化部１２の構成が加熱による構成は、例えば、セラミックや、軽石や、フィルターや、係る未浄空気２８の通り道を加熱することによって、係る未浄空気２８に含まれたウィルスや菌、花粉、ガスや臭いの成分を、加熱によって分解、あるいは殺菌、無毒化、不活化する構成であり、係る加熱の構成とすることによって、例えばフィルターなどの構成の様に、異物等をキャッチする構成と比較すると、目詰まり等が比較的少なく、メンテナンスが少なくて済む構成とすることも可能であり、有用である。
尚、図面上、破線の格子点線模様部が、空気浄化部１２を示している。
また、係る紫外線による構成は、主に、紫外線によって死滅するウィルスや菌に効果があり、特に、係る感染防止筒２１内の閉鎖空間の中で照射可能なので、人体には強すぎる様な波長の紫外線を用いる構成も可能で、有用である。
【００３９】
また、係る光触媒による構成は、係る光触媒を活性化させる光源２０を係る感染防止筒２１内に合わせて設けることによって、より、係る光触媒の効用を活用可能であり、有用であり、また、係る光触媒加工を施す物は、セラミックでも、石でも、軽石でも、木でも、プラスチックでも、陶器でも、ガラスでも、ゴムでも、シリコンラバーでも、鉄やアルミニウム等の金属でも良く、また、炭素繊維やガラス繊維等の繊維状の形態でも良いし、粒上でも、発泡材状でも、フィルター状でも良く、その他、本発明の技術的思想の範囲内、即ち、同一の作用効果を発揮できる構成、形状あるいは寸法の範囲内で変更することができるものであり、例えば、係る光触媒を、ガラスあるいはアクリル樹脂等の透明の素材に加工して設けることによって、より効果的に、係る光源２０からの光あるいは太陽光を、より隅々まで届けることが可能で有用である。尚、係る光触媒を活性化させるための光は、日光でも良く、その為に、感染防止筒２１を、アクリルやガラス等の透明な素材である構成としても良い。
【００４０】
また、係る光触媒を活性化させる光源２０に、紫外線を使用することにより、紫外線自体の殺菌作用と、光触媒による殺菌作用のダブルで、効果を発揮し、有用である。
また、係る活性炭による構成は、ウィルスや臭い等吸着させることによって効果を発揮し、比較的手軽な構成であり有用である。
また、フィルターによる構成は、構造が簡易で手軽であるという有用性もあり、例えば、係るフィルターに銀イオンや亜鉛イオンやチタンイオン等の金属イオンを配合させて抗菌性をアップさせても良いし、熱をかけても良いし、静電フィルターとしてもよく、その他、本発明の技術的思想の範囲内、即ち、同一の作用効果を発揮できる形状あるいは寸法の範囲内で変更することができるものである。
高吸水性高分子は、網状でも粒状でも、発泡樹脂状でも良く、水分でウィルスを吸着させ、例えば、係る水分に、消毒液や、係る高吸水性高分子に銀イオンや亜鉛イオンやチタンイオン等の金属イオンを混ぜ込んだ構成として、吸着させたウィルスを殺菌する構成としても良い。
尚、係る空気浄化部１２の熱源のヒーターや、ファン１１、光源２０のライトは、電池でも良いし、太陽電池でも、電源からの電気で作動しても良く、図１の構成の例は、電源からの電機の構成として、電気コード３６を備えた構成の例である。
【００４１】
感染防止筒２１は、空気が通過可能な中空状の容部であり、二つ以上の開口部を備え、係る開口部の一つ以上が係る未浄気口２４であり、その他の開口部が、係る感染防止筒２１内で浄化された空気が、排気される浄化気口２３であり、係る感染防止筒２１内には、空気浄化部１２を備え、感染防止筒２１に設けられたファン１１によって、係る感染防止筒２１内への空気の取り入れと、排気を行うものである。
【００４２】
体装着具３４は、係る感染防止筒２１を人４９の体に装着する為の部材であり、首から吊設する為の首紐３５でも良いし、頭に載置する為の帽子やヘルメット１６状でも、肩から掛ける肩掛けでも、頭に巻いて装着でも、ベルトを設けた構成としても良く、その他、本発明の技術的思想の範囲内、即ち、同一の作用効果を発揮できる形状あるいは寸法の範囲内で変更することができるものである。
【００４３】
図１（ａ）の構成の例の未浄気口２４は、係る感染防止筒２１の下部に設けられた４つの穴である。係る未浄気口２４あるいは浄化気口２３の形状あるいは位置あるいは数等の形態は、必要に応じて自由に設定できるものであり、係る形は、円でも良いし、四角でも、楕円でも、星形でも、その他異形でも良く、係る位置においても、上下の対向する位置でも良いし、側面でも良く、形態についても、軟質でも硬質でも、位置や方向を調整可能でも良く、その他、本発明の技術的思想の範囲内、即ち、同一の作用効果を発揮できる形状あるいは寸法の範囲内で変更することができるものである。
尚、破線の矢印は、空気の流れ１７を示しており、係る空気は、係る携帯浄化器１により浄化された浄化空気２９あるいは、まだ浄化されていない未浄空気２８である。
【００４４】
係る空気浄化部１２に、アロマオイルなどの良い匂いを備えた構成としても良く、係るにおい成分が脳の活性化や、精神の安定に繋がる構成とすることも可能で、有用である。
【００４５】
図１（ｂ）の構成の例は、図１（ａ）の構成の例のファン１１が浄化気口２３に正対している構成の例であるのに対して、係るファン１１が、係る浄化気口２３に対して、略垂直方向に設けられている構成の例であり、係る構成とすることによって、係る感染防止筒２１の幅を薄くすることが可能となり有用である。
また、係るファン１１によって送風された空気は、アーク上に曲折された壁によって、よりスムーズな空気の流れ１７を作って、上方の浄化気口２３に排気される構成の例である。
【００４６】
図１（ｃ）の構成の例は、係るファン１１を、斜めに設けた構成の例であって、係る構成とすることによって、係る感染防止筒２１の幅を薄くすることが可能となり、また、図（ｂ）の構成と比較して、より浄化気口２３側に係るファン１１が向いている為、よりスムーズに抵抗が少なく空気が流れることが可能であり、有用である。
【００４７】
図２の構成の例は、係る携帯浄化器１を首から吊り下げた人４９を横から見た場合の例であり、図２（ａ）の構成の例は、図１の構成の例を首から吊り下げた人４９を、横から見た例である。
図２（ａ）の構成の例は、例えば係る携帯浄化器１を首から吊り下げた人４９に対して、係る携帯浄化器１から排気された、浄化空気２９、が、やや顔の口や鼻に対してしっかりと当たっておらず、つまり、人４９の顎の部分が、係る人４９の顔の下から流れてくる空気を邪魔して、頬の横の方に流れて行ってしまっている構成の例である。
このような場合、しっかりと係る浄化空気２９を係る人４９の口や鼻に届けることができず、係る携帯浄化器１の効果が十分に発揮されない場合が考えられる。
このようなケースの対策として、例えば、図２（ｂ）あるいは図２（ｃ）の様な構成の例がある。
【００４８】
図２（ｂ）の構成の例は、係る浄化気口２３の方向を定める、方向定め具２５が、足である方向定め足２６の構成の例であり、係る足が胸に当たり、係る足の長さや、角度を変更することによって、係る浄化気口２３の位置や方向や角度を調整可能とした構成の例であり、係る人４９の顔に浄化空気２９を向けることが可能となり有用である。
尚、係る方向定め足２６は、図２（ｂ）の構成の例においては、浄化気口２３側に２本設けた構成の例であるが、未浄気口２４側にも設けても良いし、１本でも、３本でも、それ以上でも良く、その他、本発明の技術的思想の範囲内、即ち、同一の作用効果を発揮できる形状あるいは寸法の範囲内で変更することができるものである。
【００４９】
図２（ｃ）の構成の例は、係る浄化気口２３の方向が、回動可能に調整可能な構成の例であり、係る構成とすることによって、浄化気口２３から送気される浄化空気２９を顔の鼻や口の方向に送気可能となり、有用である。
係る回動回転口３１は、錐台状の筒が、係る感染防止筒２１に、２か所の回動係止具３２を介して係止されており、係る方向定め具２５が、２か所で回動可能に係止された回動係止具３２を回動軸として回動することによって、係る浄化気口２３の送気方向を調整可能とする回動回転首である構成の例である。
【００５０】
尚、係る回動回転首の回動構造は、図２（ｃ）の構成の例においては、一軸の回動軸を備えた回動構造である、一方向にのみ回動回転し、係る回動回転口３１も、一方向にのみ回動して方向を変えることが可能な構成の例であるが、図面には示されていないが、係る回動回転首は、多方向に方向を変更可能な回動回転首である構成とすることも可能であり、係る多方向に方向を変更可能な回動回転首は例えば、係る回動回転首が、略中空の球状に、二つ以上の穴を備えた回動回転首であり、係る略中空の球状の回動回転首が回転可能に嵌め込まれることによって、係る略中空の球状の回動回転首に設けられたうちの一つ以上の穴を、回動回転口３１として、係る回動回転口３１から排気される浄化空気２９を多方向に送気可能な構成としても良い。
【００５１】
図３の構成の例は、図２（ｂ）あるいは図２（ｃ）の構成の例の様に、係る浄化気口２３から排気された空気の方向を調整可能な構成の例として、係る浄化気口２３に、蛇腹構造２７の蛇腹口３０を備えた構成の例であり、係る浄化気口２３を蛇腹口３０とすることによって、係る浄化気口２３の開口方向を調整するだけでなく、係る浄化気口２３を、蛇腹構造２７によって伸ばして、より人４９の口や鼻の部分に近づけることが可能な構成となり、有用である。
図３の構成の例は、方向定め具２５が、蛇腹構造２７の首である蛇腹首によって可動する蛇腹口３０の構成の例である。
【００５２】
図３（ａ）の構成の例は、係る蛇腹口３０の蛇腹構造２７によって、係る浄化気口２３の方向を変えた構成の例であり、係る浄化気口２３から排気された浄化空気２９が、図２（ｂ）あるいは図２（ｃ）の構成と同様に、係る人４９の口と鼻の方向に送気される構成の例を示しており、有用である。
図３（ｂ）の構成の例は、係る蛇腹口３０が、係る蛇腹構造２７によって伸ばされて、係る人４９の口と鼻の近くまで配置された構成の例であり、係る構成とすることによって、係る浄化気口２３から排気された浄化空気２９を、より確実に、且つ、より多く、係る鼻や口に運ぶことが可能な構成となり、有用である。
本発明の説明における蛇腹構造２７は、紙、布、プラスチック、ゴム、シリコンゴム、金属等の膜、あるいはシート、あるいは板状の部材で形成され、山折と谷折りの繰り返し構造を備えた、略筒状の構造体である。
【００５３】
図４の構成の例は、図２（ｂ）の構成の例における携帯浄化器１が、方向定め具２５として、スライド可能な放散抑制板１３を備えた構成の例である。
【００５４】
図４（ａ）の構成の例においては、スライドレール１８に設けられた放散抑制板１３が、上側にスライドして、略人４９の口の前あたりまで伸びて、係る浄化空気２９を人４９の口の近くまで拡散せず送気可能な構成の例であり、また、図４（ｂ）の構成の例は、係るスライドレール１８に設けられた放散抑制板１３が、係るスライドレール１８上を下の方まで下げられた構成の例であり、係る構成とすることによって、必要に応じて、係るスライドレール１８上を、必要なだけ係る放散抑制板１３を上下させて係る人４９の口や鼻まで浄化空気２９を送気可能な構成であり、有用である。
また、図面には示されていないが、係る放散抑制板１３は、回動可能に係る携帯浄化器１に設けられ、必要な時は係る放散抑制板１３を図４（ａ）の構成の例の様に、係る感染防止筒２１の上に立てることが可能で、必要でない時は、邪魔でないように回動させて倒すことが可能な構成としても良い。
【００５５】
図５の構成の例は、空気浄化部１２の構成の例である。
図５（ａ）の構成の例は、空気浄化部１２にフィルターが設けられ、係る空気浄化部１２の流路１９が、二つのヘアピンカーブ３７を備えた構成の例であり、係る構成の様に、流路１９を長くすることによって、係る未浄空気２８が通過するフィルターの距離が長くなることによって、より係る未浄空気２８の濾過効果を高めることが可能な構成の例であり、また、係る流路１９に、加熱ヒーターや紫外線を設ける構成においても、より、浄化流路１９が長くなり、空気が浄化される効果が期待でき、有用である。
図５（ｂ）の構成の例は、係る感染防止筒２１の側面に空気の取り入れ口が設けられ、２重になった感染防止筒２１の外側の流路１９を下方に係る未浄空気２８が流れ、係る流路１９においても、内側に設けられたヒーターによって係る未浄空気２８が加熱されながら下方のヘアピンカーブ３７と係る空気浄化部１２の中央と周囲で加熱された空気浄化部１２である多孔性のセラミックによって、係る未浄空気２８が熱せられることによって、係る未浄空気２８に含まれたウィルス等を殺菌されながら浄化され、浄化気口２３より浄化空気２９として排気される構成の例である。
【００５６】
尚、係る市松模様の部分が、ヒーターを示しており、係る筒状の内面と、下面と、中央にヒーターが設けられた構成の例であり、係るヒーターによって、係る多孔性のセラミックが加熱される構成の例であり、係る複数の穴を係る空気が通過することによって、係る空気が加熱されて、除菌、浄化、無毒化、不活化される構成の例である。
【００５７】
尚、係る多孔性のセラミックは、係るヒーターの熱を伝える媒体の一例であり、その他、軽石でも、ガラスでも、鉄やアルミニウム等の金属でも良いし、その他、本発明の技術的思想の範囲内、即ち、同一の作用効果を発揮できる形状あるいは寸法の範囲内で変更することができるものである。
【００５８】
ヒーターは、ニクロム線やハロゲンやカーボン等の電気式のヒーターが望ましく、また、係るヒーターの形態は、バンドヒーターでも良いし、棒状のカートリッジヒーターでも良いし、網状のヒーターでも良く、その他、本発明の技術的思想の範囲内、即ち、同一の作用効果を発揮できる形状あるいは寸法の範囲内で変更することができるものである。
【００５９】
また、ヒーターは、可燃物を燃焼あるいは不完全燃焼させる構成としても良く、ガスでも良いし、枯れた葉でも良いし、木片でも良いし、炭でも良く、その他、本発明の技術的思想の範囲内、即ち、同一の作用効果を発揮できる形状あるいは寸法の範囲内で変更することができるものであるが、係る、可燃物を燃焼あるいは不完全燃焼させる構成においては、係る燃焼あるいは不完全燃焼によって発生する煙や有害物質を除去するフィルターと併用することが望ましく、係る構成の主なターゲットは、ウィルスや花粉等の生物系の有害物質の焼殺による不活化、あるいは、係る熱による熱分解が可能なガスや物質の除去に、適切で有用な構成である。
【００６０】
また、係るファン１１は、吸気力増強の為、二つのファン１１が、直列に設けられている構成の例であり、二つ以上のファン１１を備えることによって、係る空気浄化部１２の抵抗が大きい構成においても、より流量を多く、空気を流すことが可能となり、有用である。
【００６１】
図５（ｃ）の構成の例は、空気浄化部１２として光触媒加工をされた材料である、触媒材３８を備えた構成であり、係る触媒材３８の周囲には、光源２０が設けられており、係る光源２０による光によって、係る触媒材３８の光触媒が活性化されて、除菌、分解効果が活性化する構成の例である。
尚、星マークが、光源２０を示している。
尚、係る光源２０は、感染防止筒２１内に設けられている構成であるので、人４９体に影響を与えることなく、人４９体には強すぎるような紫外線とすることも可能であり、光触媒の殺菌、無毒化、不活化効果と合わせて、紫外線による殺菌、無毒化、不活化効果を発揮することが可能であり、有用である。
図５（ｄ）の構成の例は、図５（ａ）の構成の例が、縦方向にヘアピンカーブ３７を備えることによって、係る空気の流路１９の長さを確保していた構成の例であるのに対して、横方向に複数のヘアピンカーブ３７を備えた構成の例であり、係る各ヘアピンカーブ３７に紫外線の光源２０を備えることによって、係る未浄空気２８を浄化させる構成の例である。
このように、複数のヘアピンカーブ３７を備えることによって、係る流れる空気の流れ１７を乱し、乱流にし、また、空気の流れる距離を長くすることによって、より満遍なくしっかりと係る流れる空気に紫外線にさらすことが可能となり、より除菌、浄化効果を高める構成の例である。
また、係る空気の流路１９の長さを確保する構成は、その他このようにヘアピンカーブを備える構成としても良いし、図面には示されていないが、渦巻き状に流路１９を設ける構成としても良く、限定しない。
【００６２】
図５（ｅ）の構成の例は、係る感染防止筒２１が、下側に末広がりの形状である構成の例である。
係る構成とすることによって、浄化気口２３のサイズに対して、未浄気口２４のサイズを大きくすることが可能となり、十分な量の空気を取り入れ可能な開口部を有することによって、係る未浄気口２４近辺の空気の流れ１７を遅くして、しっかりと係る未浄空気２８の浄化、殺菌、無毒化を可能とし、十分な体積あるいは面積の空気浄化部１２を備えることが可能となり、有用である。
【００６３】
図６の構成の例は、係る空気浄化部１２の構成の例であり、係る空気浄化部１２がフィルターと、係るフィルターを加熱する加熱部１５であるヒーターの構成の例を示している。
【００６４】
図６（ａ）の構成の例は、加熱フィルター５３の外側を加熱部１５の熱源であるバンドヒーターで巻いた構成の例である。
係る加熱フィルター５３は、セラミックや鉄等の金属に穴を設けられた構成の例であり、係る穴を空気が通過する際に、係る加熱されたフィルターから熱をかけられて、係る熱、あるいは遠赤外線等の放射熱によって、係る空気の浄化、殺菌、無毒化する構成の例である。係る加熱フィルター５３の高さや、外形のサイズ、あるいは、穴のサイズは、通気に対して負荷がかかり過ぎると通気抵抗となり、空気の流れを妨げ、加熱フィルター５３の穴のサイズが大きすぎると、係るフィルターを通過する空気とウィルスに対して、熱を伝えることが困難となり、また、小さ過ぎると、通気抵抗となるのでより多くの穴を備える必要があり、また、係る加熱フィルター５３の熱伝導性とヒーターの配置との関係等で適切な構成に決定すべきものである。
また、係るフィルターの高さも長い方が、ウィルス等の殺菌に効果がある構成となる。
【００６５】
図６（ｂ）の構成の例は、2つの加熱フィルター５３の穴の位置をずらして設けた構成であり、且つ、2つの加熱フィルター５３の間に隙間を設けて配置させた構成であり、このように、穴の位置をずらして設けることによって、係る加熱フィルター５３を通過するウィルス等が、係る空気の通り道である係る加熱フィルター５３の壁にぶつかりながら乱れて流れることになるので、ウィルスが高い熱を持った加熱フィルター５３にぶつかる確率や、満遍なく係る通過する空気に熱を伝えることによって、ウィルス等を殺菌、不活化、無毒化する構成の例である。
【００６６】
尚、図６（ｂ）の図においては省略されているが、係る２つの加熱フィルター５３は、外側を筒状に巻いて、あるいは、感染防止筒２１の中に設ける構成として並べて配置されるものである。
また、係る加熱フィルター５３を、間隔を置いて配置することによって、係る加熱フィルター５３と加熱フィルター５３の間の空間の空気も、加熱された状態になり、空気の流れ１７も乱流となるので、より、ウィルスを殺す効果をアップすることができ、また、図６（ｂ）の構成の例においては、係る加熱フィルター５３は、2つのみ並べて配置させた構成の例であるが、3つでもまた、それ以上でも良く、係る数が多い程、ウィルスの除去できる確率は上がり、有用である。
【００６７】
図６（ｃ）の構成の例は、図６（ｂ）の構成の２つの加熱フィルター５３を並べて配置した構成において、３つの加熱フィルター５３を、棒状のカートリッジヒーターで串刺しに縦に配置した構成の例である。
係る構成とすることによって、ヒーターが発熱した熱を、より効率的に係る加熱フィルター５３または係る加熱ヒーターと加熱ヒーターとの間の空間に使われることが可能な構成となり、また、係るヒーターが、係る加熱フィルター５３を支える柱となり、係るフィルターをより安定的に保持可能であり、有用である。
【００６８】
図６（ｄ）の構成の例は、２つの加熱フィルター５３を並べて配置する構成において、２つの加熱フィルター５３の間に、加熱部１５の熱源である棒状のカートリッジフィルターを挟持する構成の例である。係る構成とすることによって、係る加熱フィルター５３を、より、全面的に温めることも可能となり、有用である。
また、図６の各図の構成の例における加熱フィルター５３を加熱するヒーターは、バンドヒーターでも良いし、棒状のカートリッジヒーターでも良いし、網状のヒーターでも良く、その他、本発明の技術的思想の範囲内、即ち、同一の作用効果を発揮できる形状あるいは寸法の範囲内で変更することができるものである。
また、係る加熱フィルター５３の構成は係る加熱フィルター５３の代わりに、光触媒のフィルターを用い、係る加熱部１５の代わりに、光源２０や紫外線の光源２０としても良い。
また、係る電気によるヒーターやファン１１の電源は、１００Ｖ電源でも、ＵＳＢでも、電池式でも良く、また、太陽光で充電可能な電池を使用しても良いが、より安定的に高温な加熱フィルター５３とする構成としては、１００Ｖ等のコンセントを介した電力供給の構成とすることが望ましいが、電池の性能と、必要なヒーターと、温度、使用時間等、必用な諸条件との兼ね合いで、選択可能であるものである。
【００６９】
図７の構成の例は、携帯浄化器１と鼻と口を覆うマスクと合わせたマスクユニット２の構成の例である。
【００７０】
図７（ａ）の構成の例は、図２（ｂ）と同等の携帯浄化器１と、鼻と口を覆ったマスクである口鼻マスク５５を人４９が装着した構成の例であり、係る口鼻マスク５５の断面図を示しており、係る鼻と口を覆った口鼻マスク５５は、上部を鼻から逆Ｕの字状に係る口鼻マスク５５と人４９の顔を略密着させる部分であるシール部５７を備え、係る口鼻マスク５５の下部は開口部であるマスク開口５６を備えた構成の例であり、係る人の顔と係る口鼻マスク５５との間の中空空間が、マスク中空５８である。
尚、係る口鼻マスク５５は、係るシール部５７として、何らかのシール用の部材を備えた構成としても良いし、特に備えない構成としても良い。
【００７１】
尚、係るマスク中空５８は狭くても良いし、広くても良いが、係るマスク中空５８の広さは、係る携帯浄化器１による浄化空気２９の供給能力との兼ね合いによって、適切な設定とすることが望ましく、例えば、係る浄化空気２９の供給能力が、人の呼吸量に対して十分に大きく、係る口鼻マスク５５の周囲を十分が係る浄化空気２９で満たされるようなレベルであれば、係るマスク中空５８は狭くても良いし、また、マスク開口５６を備えない構成としても良く、係る浄化空気２９の供給能力が、それ程大きくない場合等は、係るマスク中空５８や他の図の説明にも示されるような、方向定め具２５である、方向定め足２６や、回動回転首や、蛇腹首や、浄化気誘導部５４や、垂れ幕部６１や、放散抑制板１３等を合わせた構成とすることによって、無駄の無い浄化空気２９の供給構造と、適切な貯気量を確保する構造によって、係る浄化空気２９を効率よく係る人４９が吸引できる構成とすることが望ましい。
【００７２】
尚、係る方向定め具２５は、その他、本発明の技術的思想の範囲内、即ち、同一の作用効果を発揮できる形状あるいは寸法の範囲内で変更することができるものである。
【００７３】
係る首から吊設した携帯浄化器１が、係る人４９の口の方向に浄化された空気である浄化空気２９を送風し、係る浄化空気２９の流れ１７が、係るマスク開口５６からマスク中空５８に入り、係る人４９は、係るマスク中空５８内の空気である、貯気と、係るマスク開口５６から係るマスク中空５８に侵入してくる空気を吸引する構成の例であり、係る構成とすることによって、所謂一般的な口を覆うマスクだけだと、かなり、係るマスク自体の濾過機能が、微細な粒子まで濾過でき、且つ、係るシール部５７がしっかりとシールされていないと、係るマスクによるウィルスとうの侵入を防ぐことは困難であったが、係る構成とすることによって、常に、係るマスク中空５８内に、浄化されて、無毒化あるいは除菌、不活化された空気を送風し続けることによって、そうした異物やウィルス、花粉、ガス等の吸引を妨げることが可能であり、有用な構成である。
【００７４】
係る口鼻マスク５５は、不織布でも良いし、綿でも、合成繊維でも、スポンジ等の発泡性樹脂等の可撓性シートでも良いし、アクリルやポリプロピレン等のプラスチックの板状でも、ゴムでも、シリコンゴムでも良く、その他、本発明の技術的思想の範囲内、即ち、同一の作用効果を発揮できる形状及び寸法、材質の範囲内で変更することができるものである。
また、係る携帯浄化器１の開口部である浄化気口２３を、図３の構成の例に示される様な蛇腹構造２７を備えた構成とすることによって、係るマスク開口５６に、より近い位置から浄化空気２９を係るマスク中空５８内に送風可能な構成となり、有用である。
口鼻マスク５５は、図面では口と鼻の両方を覆うマスクであるが、口だけ覆っても良いし、鼻だけ覆う構成としても良い。
【００７５】
図７（ｂ）の構成の例は、図７（ａ）の構成の例の人４９を正面から見た図の例であり、係る携帯浄化器１から送風された浄化空気２９が、係る口鼻マスク５５に入る構成の例である。
尚、係る口鼻マスク５５の人４９の鼻から逆Ｕの字状のドット模様で示された部分が、係る口鼻マスク５５のシール部５７を示しており、係る貯気が、係るシール部５７からは、略漏れ難い構成の例であり、係るシール部５７は、スポンジ等の発泡性の素材を備えても良いし、ゴムでも、シリコンゴムでも、針金で顔の形状に密着させても良いし、粘着テープでも良く、その他、本発明の技術的思想の範囲内、即ち、同一の作用効果を発揮できる形状及び寸法、材質の範囲内で変更することができるものである。
図７（ｃ）の構成の例は、図７（ａ）の構成の例における携帯浄化器１からの浄化空気２９の一部が、係る口鼻マスク５５の前を吹き抜ける構成の例を示しており、係る構成とすることによって、係る携帯浄化器１から口鼻マスク５５の前付近にある、空気、つまり、ウィルス等を含んでいるかもしれない未浄化の空気を係る口鼻マスク５５の外に流れる係る携帯浄化器１からの空気によって吹き飛ばすことによって、係る人４９が、係る未浄化の空気を、吸うことを抑止する構成の例であり、有用である。
【００７６】
また、係る口鼻マスク５５の前を係る浄化空気２９が流れることによって、係る口鼻マスク５５の表面に、ウィルスや花粉、その他異物の付着を軽減することが可能となり、係る口鼻マスク５５の着脱の際に、係る口鼻マスク５５の表面に付着したウィルス等が手に付着して、係る手に付着したウィルスによって、健康に害を及ぼすことを抑制可能であり、有用である。
【００７７】
図７（ｄ）の構成の例の説明は、図７（ａ）の構成の例と同等のマスク中空５８に入った空気の流れ１７の例を、より詳しく説明した説明図である。
係る携帯浄化器１から送風される浄化空気２９と、人４９から排気された呼気が、係るマスク中空５８内に貯気として存在し、係るマスク中空５８内に入りきれない空気が、リターン気５９として係るマスク開口５６から排出され、また、係るリターン気５９が、係るマスク開口５６の外側付近に滞留気６０として漂うことによって、係るマスク開口５６付近のウィルスや異物、ガス等を押しのけることによって、係るエリアのウィルスや異物、ガス等の濃度をかなり薄める効果があり、有用である。
尚、係るマスク中空５８内には、連続的に係る携帯浄化器１から浄化空気２９が供給されることによって、係る人４９は、略浄化された空気にて呼吸可能な構成であり、有用である。
尚、係る滞留気６０の塊は、係る人４９が歩いていたり、移動している状況や、風が強い状況においては、すぐに周囲に拡散してしまうものであり、あくまでも、係る人４９が、それ程風の無い空気の動きの多くない環境で座っていたりそれ程動きが無い環境において、係るマスク開口５６付近に滞留するものである。
尚、係る滞留気６０の滞留エリアは、図面上では、楕円状の破線のエリアが示すエリアである。
【００７８】
図８の構成の例は、携帯浄化器１と鼻と口を覆うマスクと合わせたマスクユニット２の構成の応用例である。
【００７９】
図８（ａ）の構成の例は、図７（ａ）の構成の例における、鼻と口を覆うマスクと図４（ａ）の構成の例における携帯浄化器１を装着した人４９の例である。
係る携帯浄化器１が、放散抑制板１３を備えたことによって、係る携帯浄化器１から送風される浄化空気２９が、拡散し難く、周辺の空気とあまり混ざることなく、また、周囲の風などの影響を受け難くなり、より、係る携帯浄化器１からの浄化空気２９が、より効率的に係る口鼻マスク５５あるいはマスク中空５８内に送風される構成の例であり、有用である。
また、係る放散抑制板１３を備えたことによって、係る滞留気６０も拡散し難くなり、周囲の空気と混ざり難く、より浄化された空気で呼吸可能な構成であり、有用である。
【００８０】
放散抑制板１３は、板状でも良いし、可撓性シートでも良いし、係る材質も、鉄や銅等の金属でも、ポリプロピレンやポリアミド等のプラスチック素材でも、ガラスでも、木でも、竹でも、綿でも良いし、麻でも、ビニールでも、ゴムでも、シリコンゴムでも良く、その他、本発明の技術的思想の範囲内、即ち、同一の作用効果を発揮できる形状及び寸法、材質の範囲内で変更することができるものである。
【００８１】
図８（ｂ）の構成の例は図８（ａ）の構成の例が、放散抑制板１３にて係る携帯浄化器１からの浄化空気２９の拡散を抑制している構成の例であるのに対して、図８（ｂ）の構成の例は、係る鼻と口を覆うマスクの一部が下に、幕状に垂れ下がっている部分である垂れ幕部６１を備えていることによって、係る携帯浄化器１からの浄化空気２９の拡散を抑制しながら、係るマスク中空５８内に送気する構成の例であり、有用である。
【００８２】
係る垂れ幕部６１は、係る携帯浄化器１の開口部である浄化気口２３あたりまで長い構成であることによって、係る浄化気口２３から排気される浄化空気２９あるいは滞留気６０が分散され難く有用であり、できれば、係る垂れ幕部６１の長さは、人４９の顎より長く、係る浄化気口２３あたりまで垂れ下がっていることが望ましい。
また、係る垂れ幕部６１は、係る浄化気口２３から送風される浄化空気２９の量とスピードに対して、あるいは、周囲の風などの強さ等の想定される外的要因に対して、重量が軽すぎると、係る風速等になびいてしまい、しっかりと周囲の空気と、係る滞留気６０あるいは浄化空気２９とを遮る効果が減退するものである。
ついては、係る垂れ幕部６１がなびき難いように、係る垂れ幕部６１自体の重量を上げても良いし、剛性を上げても良いし、係る垂れ幕部６１の周囲あるいは端部に針金等の枠を設けても、リブを備えたも良いし、リブ状に例えばプリーツ加工を施しても良いし、一部を折り曲げても良いし、粘着テープ等のテープを設けて剛性あるいは重量をアップしても良いし、発泡素材として剛性を上げても良いし、係る携帯浄化器１と係止可能な構成としても良いし、その他、本発明の技術的思想の範囲内、即ち、同一の作用効果を発揮できる形状及び寸法、材質の範囲内で変更することができるものである。
【００８３】
また、係る垂れ幕部６１は、係る口鼻マスク５５に着脱可能に係止可能な構成としても良く、係る垂れ幕部６１を着脱可能な構成とすることによって、係る垂れ幕部６１を使いまわすことも可能であり、例えば、係る口鼻マスク５５が、使い捨ての形態であっても、係る垂れ幕部６１だけでも使いまわすことが可能であることによって、資源の無駄を減らすことが可能で、また、コストも減らすことも可能であり、有用であり、係る着脱可能な係止構造は、図面には示されていないが、面ファスナーでも良いし、ファスナーでも良いし、フックでも良いし、紐でも良いし、リングでも良いし、テープでも良く、その他、本発明の技術的思想の範囲内、即ち、同一の作用効果を発揮できる形状及び寸法、材質の範囲内で変更することができるものである。
尚、ここでいうファスナーとは、衣類等を構成する可撓性のシート状の部材に用いられる留め具のうち、何度でも自在に秋締めできるものである。
【００８４】
図８（ｃ）及び図８（ｄ）の構成の例は、係る垂れ幕部６１の端に、係る垂れ幕部６１の重り、あるいは、剛性をアップさせる為の棒である、幕位置保持部６２を備えた構成の例であり、図８（ｃ）の構成の例は、係る垂れ幕部６１の下側の端に係る幕位置保持部６２として、棒を備えた構成の例であり、図８（ｄ）の構成の例は、係る垂れ幕部６１の両端に係る棒を備えた構成の例であり、それぞれ、係る垂れ幕部６１が、浄化した空気の流れ１７や周囲の風等によってなびき難く、安定して垂れ下がることが可能な構成であり、有用であり、係る幕位置保持部６２は、重りまたは芯材であり、係る重りまたは芯材は、係る垂れ幕部６１の下部分の近傍に設けられた棒でも良いし、針金でも良いし、紐でも良いし、鉄や銅等の金属でも、ポリプロピレンやポリアミド等のプラスチック素材でも、ガラスでも、木でも、竹でも、係る垂れ幕部６１の端を巻いて剛性を高めた芯材である構成としても良く、また、係る位置も、係る垂れ幕部６１やマスクの端でも良いし、中央でも良いし、斜めに設けても良いし、縦でも横でも良いし、１つでも複数でも良く、また、係る形状も、棒状でも、鋲状でも良く、その他、本発明の技術的思想の範囲内、即ち、同一の作用効果を発揮できる形状及び寸法、材質の範囲内で変更することができるものである。
【００８５】
垂れ幕部６１は、口鼻マスク５５と同等の素材としても良いし、違う素材を係止して設けても良く、不織布でも良いし、綿でも、合成繊維でも、スポンジ等の発泡性素材でも、可撓性シートでも良いし、アクリルやポリプロピレンやポリエチレン等のプラスチックでも、ゴムでも、シリコンゴムでも良く、その他、本発明の技術的思想の範囲内、即ち、同一の作用効果を発揮できる形状及び寸法、材質の範囲内で変更することができるものである。
【００８６】
図９は、係る口鼻マスク５５が垂れ幕部６１を備えた構成のバリエーションの例である。
【００８７】
図９（ａ）の構成の例は、図８（ｂ）の構成の例における係る口鼻マスク５５の一部あるいは垂れ幕部６１の一部が、係る携帯浄化器１に係止された構成の例である。
係る構成の例の様に、垂れ幕部６１あるいは口鼻マスク５５の一部と係る携帯浄化器１が互いに係止されることによって、係る携帯浄化器１と垂れ幕部６１あるいは口鼻マスク５５の位置関係をより安定的に保持可能な構成とすることが可能で、あるいは、係る携帯浄化器１と垂れ幕部６１あるいは口鼻マスク５５との隙間を減らすことによって、係る携帯浄化器１からの浄化空気２９を、より安定的にマスク中空５８内に届けることが可能となり、また、滞留気６０の拡散を抑制可能な構成とすることができ、より浄化された空気である浄化空気２９で呼吸することが可能となるので、有用である。
係る携帯浄化器１と口鼻マスク５５が係止された部分はマスク係止部であり、それぞれ口鼻マスク５５側の係止部を、マスク係止部Ａ６３、携帯浄化器１側の係止部を、マスク係止部Ｂ６４とし、図９（ａ）の構成の例においては、それぞれ、マスク係止部Ａ６３は輪状の紐であり、マスク係止部Ｂ６４は、係船柱状の引っ掛け具である係止部が設けられている構成の例であり、係る紐状のマスク係止部Ａ６３が、係船柱状のマスク係止部Ｂ６４に引掛けて係止されている構成の例である。
【００８８】
但し、係るマスク係止部あるいは垂れ幕部６１の長さに余裕が無いと、例えば、係る人４９が振り向いたり、頷いたりといった顔の動作をした場合に、係るマスク係止部に引っ張られてマスクがずれたりするような不具合が発生するので、係るマスク係止部の長さか、係る垂れ幕部６１の長さを弛ませる等の余裕を持たせた構成とするか、あるいは、係る垂れ幕部６１の素材を伸縮性を備えた素材で構成するか、あるいは係るマスク係止部に、紐を巻き取ることによって、係る紐が伸縮自在である巻き取り具を備えた、例えば、リールキーホルダーやゴム状の伸縮自在な構造のマスク係止部を備えることによって、係る首の動作に追随可能な構成とすることが可能であり、有用である。
また、係る垂れ幕部６１は、係る口鼻マスク５５に着脱可能に設けることが可能な構成とすることによって、係る携帯浄化器１のサイズや、形状に合わせて係る垂れ幕部６１のサイズや、マスク係止部Ａ６３のタイプやデザインを自由に選択可能な構成とすることが可能であり、有用である。
【００８９】
伸縮自在である巻き取り具は、例えば、巻き取り具に巻いて設けられた紐の内側に渦巻き状に設けられたゼンマイばねを備え、係るゼンマイばねの力で係る紐に巻かれた紐を伸縮自在に出し入れ可能な巻き取り具であり、その他、本発明の技術的思想の範囲内、即ち、同一の作用効果を発揮できる形状及び寸法、材質の範囲内で変更することができるものである。
マスク係止部Ａ６３は、人４９の口あるいは鼻を覆うマスクと、携帯浄化器１との係止構造部であり、係るマスク係止部Ａ６３あるいはマスク係止部Ｂ６４は、紐でも良いし、ゴムでも、シリコンゴムでも、面ファスナーでも、ファスナーでも、ホックでも、フックでも、嵌合でも、ネジでも、バックルでも、リングでも、引っ掛け具でも良く、その他、本発明の技術的思想の範囲内、即ち、同一の作用効果を発揮できる形状及び寸法、材質の範囲内で変更することができるものである。
また、垂れ幕部６１の下端において、携帯浄化器１に備えられた浄化気口２３の周辺の一部または全部に係る垂れ幕部６１を巻いて、係る巻いた状態を保持可能に係止可能な構成としてもよく、係る垂れ幕部６１を係る携帯浄化器１に備えられた浄化気口２３に巻くようにして係止可能とすることによって、係る浄化気口２３から排出された浄化された空気を、マスク中空５８内に誘導することが可能な構成となり、有用である。
【００９０】
図９（ｂ）の構成の例は、図９（ａ）の構成の例におけるマスク係止部Ａ６３が、係る携帯浄化器１の浄化気口２３を巻くようにして設けることが可能な構成の例であり、図９（ｃ）が、略同等の構成の例において、係る浄化気口２３の部分を上側から見た説明図であり、係る浄化気口２３を巻くようにして設けられた垂れ幕部６１は、断面図にて示された説明図であり、図９（ｄ）が、同様に係る携帯浄化器１及び口鼻マスク５５を備えた人の側面からの説明図であり、係る口鼻マスク５５を断面図で示した説明図である。
係る口鼻マスク５５が備えている垂れ幕部６１は、係る携帯浄化器１に巻いて係止されており、図９（ｃ）に示されているように、係る垂れ幕部６１は係る携帯浄化器１の浄化気口２３の周囲の全周の約５/６程度に巻かれて設けられた構成の例であり、係る垂れ幕部６１は、係る垂れ幕部６１の最下端に設けられたマスク係止部Ａ６３でもある巻保持構造部９３である紐状体で結んで、設けられている構成の例であり、また、図９（ｅ）は、係る口鼻マスク５５のみを示した説明図である。
尚、図９（ｃ）の図において、係る図の上側に蝶結び状に示されている部分において、係る紐状体が結ばれている部分を示している。
巻保持構造部９３は、垂れ幕部６１が携帯浄化器１を巻いた状態を保持可能とする係止構造部であり、紐状体でも良いし、針金でも良いし、面ファスナーでも、ホックでも、フックでも、嵌合でも良く、その他、本願発明の特徴的な作用、効果が発揮される範囲において変更することが可能であり、限定しない。
また、係る垂れ幕部６１は、係る浄化気口２３の全周の略５/６程度に巻かれた構成の例であるが、係る浄化気口２３の全周を巻く構成としても良いし、半分くらいを巻く構成としても良く、限定せず、同じ口鼻マスク５５であっても、相手の携帯浄化器１のサイズによっても、係る巻き方や巻かれる量は変化するものである。
【００９１】
また、係る巻保持構造部９３は、針金の様な、曲げた状態を保持可能な塑性変形の性質の強い略棒状の素材あるいは、垂れ幕部６１にメッシュ状の針金や錫等を組み合わせて垂れ幕部６１自体が塑性変形する構成あるいは、略リング状あるいは、略Cの字状の部材を、係る紐状体の代わりに設けて、係る曲げた状態を保持可能な略棒状の素材あるいは、略リング状あるいは、略Cの字状の部材の中を通す様にして係る携帯浄化器１を設けることが可能な構成とすることによって、係る垂れ幕部６１の下端は、係る垂れ幕部６１が携帯浄化器１を締め付けて設けなくても、係る携帯浄化器１と略同等の形状を保持することが可能な構成となり、つまり、係る垂れ幕部６１と携帯浄化器１の間に隙間を備えた状態で係る垂れ幕部６１を係る携帯浄化器１に巻いたような状態にて保持可能な構成となり、それによって、例えば係る携帯浄化器１と口鼻マスク５５を装着した人の顔が、大きく動いても、係る携帯浄化器１に巻かれる様にして設けられた係る垂れ幕部６１が、互いに摺動する様にしてその人の顔の動きを吸収する様にして動くことが可能な構成とすることができるので、人の顔が動いた時に、係る口鼻マスク５５に携帯浄化器１の重量がかかったり、口鼻マスク５５が外れたりすることを抑制することが可能となり、有用であり、特に、曲げた状態を保持可能な略棒状の素材である構成とすることによって、様々な携帯浄化器１の形状に合わせて係るサイズや形状を調整可能な構成となり、有用である。
【００９２】
図９（ｂ）あるいは図９（ｄ）において、係る人の顎の前あたりに設けられている開口スペーサー８２の例は、針金であり、係る針金は、係る口鼻マスク５５を顔に装着した際に、係る口鼻マスク５５のマスク中空５８の下部付近にあたる近傍に設けられており、係る針金を必要に応じて曲げることによって係る口鼻マスク５５は、係る浄化気口２３から送気された浄化された空気が流れる通路であるエア通路９４を、係る顎と口鼻マスク５５との間に開いた状態で保持可能であり、有用であるとともに、係る針金を、自由に曲げた状態を保持可能な略棒状の素材とすることによって、係る口鼻マスク５５を、携帯浄化器１と合わせて使用しない場合に、係るエア通路９４を閉じることも可能な構成であるので、係るエア通路９４から、周辺の浄化されていない空気がマスク中空５８内に入ってくるのを抑止することも可能な構成であるので、有用であり、また、係る針金を略メッシュ状に設けるかあるいは錫等塑性変形の素材を係る可撓性のシートに設ける構成とすることによって、係る本体覆い部８３の可撓性シート自体を塑性変形可能に自由な形状を保持可能な構成としても良い。
【００９３】
係る開口スペーサー８２は、口鼻マスク５５のマスク中空５８の下部付近において、エア通路９４の開口状態を保持することが可能に、係る重複開口Ａ６８を押し広げる様に設けられた部材であり、浄化空気２９の流れを止めることなく、しっかりと係る浄化空気２９をマスク中空５８内に送気することが可能な構成であり、有用である。
また、図９（ｄ）の構成の例においては、係る巻保持構造部９３である針金は、係る口鼻マスク５５の可撓性シートの内側の表面に接着して設けられている構成の例であるが、係る針金は、係る可撓性シートに織り込んで設けても良いし、穴を備えて設けても良いし、融着しても良いし、添付しても良く、その他、本発明の技術的思想の範囲内、即ち、同一の作用効果を発揮できる形状及び寸法、材質、構造の範囲内で変更することができるものである。
【００９４】
図９の例における開口スペーサー８２の構成の例は、係る口鼻マスク５５に設けられた針金によって係るエア通路９４を開口可能とする構成であるが、係る開口スペーサー８２は、その他、例えば略ブロック状のシリコンラバーやスポンジ等を係る口鼻マスク５５が、係る人の顎にあたる部分に設けて、係る顎と口鼻マスク５５との隙間を設ける構成としても良い。
係る開口スペーサー８２の素材は、シリコンラバーやウレタンゴムや合成ゴム等のラバーや、エラストマー樹脂、スポンジ等の発泡性素材、ポリプロピレンやポリエチレン等のプラスチック、ポリアミドやポリエステル等の合成繊維や、綿や麻等の天然繊維、ガラス繊維、カーボン素材、鉄やアルミ等の金属、木、紙でも良く、弾性変形あるいは塑性変形の性質を備えた素材が人の顔等への当たる強さがソフトとなり望ましいが、例えば、あまり弾性変形あるいは塑性変形の性質の少ない素材を用いる場合も、鎖状の構造としたり、繊維状の構成として、当たりの強さや、形状の自由度を高めた構成としても良く、その他、本発明の技術的思想の範囲内、即ち、同一の作用効果を発揮できる形状及び寸法、材質、構造の範囲内で変更することができるものである。
【００９５】
図９（ｅ）は、係る口鼻マスク５５に備えられた垂れ幕部６１の略下端に、巻保持構造部９３として紐状体が備えられており、係る紐状体が、図９（ｃ）に示される様に、結ばれることによって、係る垂れ幕部６１を係る携帯浄化器１に巻いて係止することが可能な構成の例である。
【００９６】
図９（ｆ）は、係る巻保持構造部９３が、面ファスナーである構成の例であり、より、着脱し易い構成となっており、有用である。
また、係る垂れ幕部６１が図１０に示すような二重構造の垂れ幕重複部６６を備えていない構成とすることによって、顎の下で、ごわつかず、より装着感が快適な構成とすることが可能であり、また、図９の携帯浄化器１の例に示される様に、体装着具３４である首紐３５が、係る浄化気口２３のすぐ下に設けられている構成においても、係る垂れ幕部６１を、係る首紐３５の上から巻くことが可能であるので、有用であり、また、係る浄化気口２３から浄化された空気が送気されている状態においては、係る顔マスクの下側から浄化されていない周囲の空気も係る浄化された空気に押しやられ、マスク中空５８内には入って来難い構成となっている。
係る口鼻マスク５５においては、図１２の構成の例にも示される様な、顔の前を覆うマスク本体の本体覆い部８３が、略板状の顔面マスク９１である構成として、垂れ幕部６１を備えた構成としても良い。
【００９７】
図１０の構成の例は、係る口鼻マスク５５あるいは、垂れ幕部６１が、２重構造であるマスク重複部６５、または垂れ幕重複部６６を備えた構成の例である。
尚、係るマスク重複部６５、及び垂れ幕重複部６６における２重構造によって構成される、係るマスク重複部６５、及び垂れ幕重複部６６によって形成される係る２重構造によって挟まれた中空空間は、重複中空部６７である。
尚、係るマスク重複部６５は、係る口鼻マスク５５本体の２重構造の部分である重複中空部６７であり、垂れ幕重複部６６は、垂れ幕部６１の２重構造の部分である重複中空部６７である。
また、前記マスク重複部６５、あるいは垂れ幕重複部６６は、2重構造でも良いし、3重構造でも良いし、それ以上の多重構造でも良い。
【００９８】
図１０（ａ）の構成の例は、係る口鼻マスク５５に備えられた垂れ幕部６１が２重に重複している垂れ幕重複部６６を備えた構成の例の断面図である。
係る重複中空部６７は、一方の開口部がマスク中空５８に開口部を備え、係る重複中空部６７のマスク中空５８側の開口部を、重複開口Ａ６８とし、係る重複中空部６７は、外気側に開口部を備え、係る重複中空部６７の外気側の開口部を、重複開口Ｂ６９とし、係る重複中空部６７は重複開口Ａ６８及び重複開口Ｂ６９を備えている。
【００９９】
図１０（ａ）の構成の例における係る人は、図２（ｃ）と同等の携帯浄化器１を装着し、係る口鼻マスク５５を装着し、係る口鼻マスク５５の重複開口Ｂ６９が、係る携帯浄化器１の回動回転口３１に被さる様にして設けられ、係る回動回転口３１から排気された浄化空気２９が係る重複開口Ｂ６９側から係る重複中空部６７内に送気され、重複開口Ａ６８からマスク中空５８内に送気され、係る人が係る浄化空気２９にて呼吸可能である構成の例であり、係る携帯浄化器１からの排気される浄化空気２９を、略１００％係るマスク中空５８内に送気可能で、また、係る重複中空部６７は十分な太さの空気の流路を確保可能であり、十分な量の浄化空気２９を余裕をもって送気可能な構成であり有用である。
【０１００】
尚、係る、重複開口Ａ６８の人の顔に当たっている側の部分は、シール部５７とする構成とすることによって、より外気との密閉が保つことが可能で有用であるが、係るマスク中空５８内が係る携帯浄化器１からの送気によって正圧になっている為、必ずしも係る重複開口Ａ６８の人の顔に当たっている側の部分はシール部５７としない構成としても良いが、係るシール部５７の有無の構成は、係る送気量や、係る口鼻マスク５５が装着される想定される使用環境等により、適切な構成が選択されるべきものである。
尚係る垂れ幕部６１は図８（ｂ）の説明同様、着脱可能な構成としても良い。
また、係る重複開口Ｂ６９と係る浄化気口２３でもある回動口に、蛇腹口３０をマスク係止部で係止することによって、係る重複開口Ｂ６９が浄化気口２３からずれず、常に安定的に浄化空気２９を係る重複開口Ｂ６９から供給可能であり、有用である。
【０１０１】
図１０（ｂ）の構成の例は、係る重複開口Ａ６８が、口鼻マスク５５本体の略中程に設けられた構成の例である。
係る構成とすることの有用性として、以下の様な課題の改善点があり、例えば図１０（ａ）の構成の例においては、重複開口Ａ６８が係る人の鼻口の真下に開口した構成であることによって、係る口から排出されたくしゃみ等の唾液等が、係る携帯浄化器１上に落ち易いという課題もあり、係る重複開口Ａ６８の位置を、例えば、口鼻マスク５５の位置を上げて、係る口鼻の真下に大きく開口した構成としないことによって、係るくしゃみ等による唾液等が重力によって真下に落ちても、直接携帯浄化器１を汚すことを抑制することが可能であり、有用である。
【０１０２】
図１０（ｃ）の構成の例は、図１０（ｂ）の構成の例における携帯浄化器１が図３の構成の例における、蛇腹口３０の構成の例である。
係る構成とすることによって、蛇腹口３０が延ばされて、より人の顔に近くまで配置することが可能となるので、係る垂れ幕部６１の長さを短くすることが可能となり、あるいは、図面には示されていないが係る重複開口Ｂ６９と係る蛇腹口３０をマスク係止部で係止することによって、係る人の顔が動いても、係る蛇腹口３０の位置が追従可能であるので、人の顔の動きにも柔軟に対応可能で、有用な構成である。
【０１０３】
また、図面には示されていないが、係る重複開口Ｂ６９を、係る携帯浄化器１の浄化空気２９の吹き出し口である浄化気口２３に被せる様にして設けた際に、係る重複開口Ｂ６９が、係る携帯浄化器１から外れ難い様に、マスク係止部として、係る重複開口Ｂ６９に、ｃまたは、ゴムで係る重複開口Ｂ６９の開口部の大きさを調整可能な構成の、調整可能開口部として、係る携帯浄化器１を締め付ける構成としても、容易に係る重複開口Ｂ６９を携帯浄化器１に装着することが可能であり、また、より密閉性を向上させ、外気からの異物や花粉、ウィルス等の侵入抑制効果を向上させることが可能であり、また、様々なサイズの携帯浄化器１にも対応して装着可能で有用であり、有用であり、また、係るマスク係止部は、口鼻マスク５５側と携帯浄化器１との係止部であり、係るマスク係止部は図９に示されるようなマスク係止部Ａ６３及びマスク係止部Ｂ６４でも良いし、係るマスク係止部Ａ６３としてこのように、重複開口Ｂ６９に、巾着構造、またはゴムを備えることによって、係る巾着構造、またはゴムが係る携帯浄化器１を係る重複開口Ｂ６９が被さる様にして設けられて、携帯浄化器１を締め付けて、互いに外れ難く係止する調整可能開口部である構成としても良い。
【０１０４】
尚、ここでいう巾着構造とは、布や皮革等の可撓性シートによって形成された開口部近傍に、紐状の部材を通して備え、係る紐状の部材によって、係る開口部のサイズを調整可能とした構成である。
【０１０５】
尚、係る調整可能開口部は、マスク係止部Ａ６３の一種でもあり、係る重複開口Ｂ６９の開口部の大きさを調整可能な構成の開口部であり、係る構成であることによって、携帯浄化器１の浄化空気２９の吹き出し口に被せる様にして、締め付け可能あるいは略密着可能に設けることが可能な、重複開口Ｂ６９であり、係る重複開口Ｂ６９の密閉性の向上、あるいは外れ難い構成となり有用であり、係る重複開口Ｂ６９の開口部の大きさを調整可能な調整可能開口部の構成は、巾着構造でも良いし、ゴムを備えても良いし、ファスナーあるいは面ファスナーを備えても良いし、マグネットまたはマグネットシートを備えても良いし、自己吸着シートを備えた構成としても良く、その他、本願発明の特徴的な作用、効果が発揮される範囲において変更することが可能であり、限定しない。
【０１０６】
また、係る重複開口Ｂ６９に備えられた巾着構造、またはゴム、または面ファスナーやファスナー等によって、係る重複開口Ｂ６９に締め付けられたあるいは密着された携帯浄化器１から、係る重複開口Ｂ６９が外れ難い様に、係る携帯浄化器１に抜け防止を備える構成としても良く、係る抜け防止として、凸部、凹部を備えてマスク係止部Ｂ６４としても、より外れ難くなり有用である。
また、マスク係止部Ａ６３及びマスク係止部Ｂ６４を、マグネットあるいはマグネットシート、あるいは自己吸着シート、あるいは面ファスナーで互いに吸着あるいは係着して係止可能な構成として、より密閉性、あるいは外れ難い構成としても有用である。
【０１０７】
マスク係止部Ａ６３あるいはマスク係止部Ｂ６４の構成は、その他、紐でも良いし、ゴムでも、シリコンゴムでも、面ファスナーでも、ファスナーでも、ホックでも、フックでも、嵌合でも、ネジでも、バックルでも、リングでも、引っ掛け具でも良く、その他、本発明の技術的思想の範囲内、即ち、同一の作用効果を発揮できる形状及び寸法、材質の範囲内で変更することができるものである。
尚、係る調整可能開口部は、係る挿入された浄化気口２３をより強くわえ込む,、あるいは、挟持できるよう、係る調整可能開口部に設けられたファスナーや面ファスナー、マグネット、マグネットシート、自己吸着シート等で、係る浄化気口２３が挟持されていない部分の重複開口Ｂ６９の開口部が互いに係止されることによって、係る調整可能開口部の開口部が必要な開口サイズに調整されて、密着性を上げて、係る浄化気口２３から送気された浄化空気２９がより漏れ難い構成としても良いし、係る面ファスナーや、マグネットシートや、自己吸着シートが、直接係る携帯浄化器１に吸着または係着する構成としても、より、係る密着性が高くなり、係る浄化気口２３から送気された浄化空気２９がより漏れ難い構成とすることが可能であり、有用である。
【０１０８】
尚、自己吸着シートは、被着体に対して、素材自体が吸着し、粘着剤や糊を使用せずに貼り付けが可能なシートであり、微細な吸盤による吸着、ジェル状による吸着でも良く、その他本願発明の特徴的な作用、効果が発揮される範囲において変更することが可能であり、限定しない。
【０１０９】
図１０（ｄ）の構成の例は、係る携帯浄化器１の浄化口が、チューブ３３に設けられた構成の例である。
また、係る重複中空部６７は、係る口鼻マスク５５本体部分の重複中空部６７であり、係る重複中空部６７の重複開口Ｂ６９から係るチューブ３３が挿管され、係る重複中空部６７内にて係るチューブ３３の先端に設けられた浄化気口２３が配置された構成の例である。
係るチューブ３３が、係る重複中空部６７内に挿管される構成であることによって、係るチューブ３３に、人のくしゃみ等の唾液等が直接付着することが無く、係るチューブ３３が汚れることを抑制可能であるので、係るチューブ３３を繰り返し使用する際にも、より清潔に係るチューブ３３を使用することが可能で有用である。
【０１１０】
また、係る重複中空部６７の重複開口Ａ６８の位置を、図１０（ｃ）の構成の例の様に、係る口鼻マスク５５の上の方、つまり鼻の上の方に配置することによって、係るチューブ３３の先端に設けられた浄化気口２３を係る重複開口Ａ６８から出しても、係るチューブ３３が係る人のくしゃみ等で汚れ難く、有用である。
また、係るチューブ３３も、係る重複中空部６７にて広い部分で挟持される為、安定して保持可能な構成であり、有用である。
【０１１１】
また、係る調整可能開口部である重複開口Ｂ６９は、マグネットあるいはマグネットシートあるいは、自己吸着シートあるいは、面ファスナーあるいは、ファスナーで、係る重複開口Ｂ６９を互いに吸着あるいは係着して係止可能な構成として、係る重複開口Ｂ６９の開口部の大きさを変更可能な構成とすることによって、特に、図１０（ｄ）の構成の例の様に、マスク重複部６５が重複開口Ｂ６９を備えた構成においても、係るチューブ３３や携帯浄化器１に関わらず、より密閉性を向上して挟持する様にして保持可能であり、あるいは外れ難い構成とすることが可能な構成となり、有用である。
また、重複開口Ｂ６９は、いずれも係る口鼻マスク５５の下側に設けられた構成の例であるが、横でも、上側に設けた構成としても良い。
【０１１２】
図１１の構成の例は、図１０の構成における口鼻マスク５５の構成の説明図である。
図１１（ａ）の構成の例の口鼻マスク５５は、図１０（ａ）の構成の例の口鼻マスク５５の構成の例と同等の構成の口鼻マスク５５の構成の口鼻マスク５５を人が装着した例の正面図であり、係る口鼻マスク５５は、顔装着部９０である耳掛けによって、係る人の耳に引掛けて装着されている構成の例である。
係る重複中空部６７の重複開口Ａ６８の係る人の顔との接触している側は、シール部５７である構成の例であり、係る重複開口Ａ６８の外側の係る人との接触部から、係るマスク中空５８内に外気が入り込みにくい構成となっており、有用であるが、係るシール部５７は、係るマスク中空５８内が係る携帯浄化器１からの送気によって正圧になっているので、外気が入り難い構成となっており、係る携帯浄化器１の送気能力や外気等の周辺環境、対象とする汚染によって、係るシール部５７の有無は選択的に決定されるべきものである。
【０１１３】
また、係る重複中空部６７の幅は、係る図面においては、係る口鼻マスク５５のマスク中空５８を形成する本体覆い部８３と略同字幅の垂れ幕部６１あるいは垂れ幕重複部６６あるいは重複中空部６７から構成される構成の例であるが、係る垂れ幕部６１あるいは垂れ幕重複部６６あるいは重複中空部６７の幅は、係るマスク中空５８を形成する本体覆い部８３よりも狭くても良いし、広い幅である構成として弛みを備えて、より空気の流れ１７の流れの通気抵抗を減らす構成としても良く、限定せず、本発明の技術的思想の範囲内、即ち、同一の作用効果を発揮できる形状及び寸法、材質の範囲内で変更することができるものである。
【０１１４】
また、係る本体覆い部８３は、係る口鼻マスク５５を装着する人の顔の前面にて係る人の顔を覆っている部分であり、係る本体覆い部８３は、可撓性のシートでも良いし、板状の部材でも良い。
但し、係る本体覆い部８３は、可撓性シートである構成の方が、より一般的に日常生活に使用されているマスクの構成であり、軽く、扱い易く、比較的安価で、デザインの自由性に富み、様々な人の顔の形状に対応してフィットし易く有用である。
一方、係る本体覆い部８３が、略板状の構成においては、例えば、係るマスクが顔に直接触れると、肌が弱く肌荒れし易い人や、顔の表情が見易いように、透明の板状のものが望まれる接客業等の場合において、有用である。
【０１１５】
図１１（ｂ）の構成の例の口鼻マスク５５は、図１１（ａ）の構成と同等の口鼻マスク５５のみの正面図である。
【０１１６】
図１１（ｃ）の構成の例の口鼻マスク５５は、図１１（ｂ）の構成の例の係る垂れ幕重複部６６が筒状である構成の例の、係る垂れ幕重複部６６の横断面図であり、係る垂れ幕重複部６６は、略筒状であることを示している。
【０１１７】
図１１（ｄ）の構成の例は、図１１（ｃ）の係る筒状である垂れ幕重複部６６の形成の仕方を示した例の説明図であり、係る垂れ幕重複部６６は、表側を係る口鼻マスク５５の本体からの素材の可撓性シートが、そのまま一体の構成であり、係る素材の裏側に、別の長方形の可撓性シートを、係る長方形の向かい合う二辺を係止することによって、図１１（ｃ）に示される様な筒状の垂れ幕重複部６６を形成する構成の例であり、係る係止部は、九十九折線で示された部分である。
【０１１８】
図１１（ｅ）の構成の例は、図１１（ｃ）の構成の係る筒状である垂れ幕重複部６６の形成の仕方を示した例の説明図であり、係る筒状の可撓性シートを、口鼻マスク５５の本体である本体覆い部８３の下部に係止して設けた構成の例であり、係る係止部は、九十九折線で示された部分である。
尚、係る口鼻マスク５５の本体の下部に係止して設けた筒状の可撓性シートは、着脱可能に係止しても良く、着脱可能に設けることが可能である構成とすることによって、係る筒状の垂れ幕部６１を使いまわすことも可能であり、例えば、係る口鼻マスク５５が、使い捨ての形態であっても、係る垂れ幕部６１だけでも使いまわすことが可能であることによって、資源の無駄を減らすことが可能で、また、コストも減らすことも可能であり、有用であり、係る着脱可能な係止構造は、図面には示されていないが、面ファスナーでも良いし、ファスナーでも良いし、フックでも良いし、紐でも良いし、リングでも良いし、テープでも良く、その他、本発明の技術的思想の範囲内、即ち、同一の作用効果を発揮できる形状及び寸法、材質の範囲内で変更することができるものである。
また、係る着脱可能な係止部を備えた。垂れ幕部６１あるいは垂れ幕重複部６６は、図面には示されていないが、図１３（ｈ）に示される様に、係る重複中空部６７が垂れ幕重複部６６から本体覆い部８３の背面に設けられる構成においても、着脱可能な構成として係る重複中空部６７とする構成としても良い。
【０１１９】
図１１（ｆ）の構成の例の口鼻マスク５５は、係る垂れ幕重複部６６が筒状でない２重構造の構成の例である。
係る構成とすることによって、例えば、図８（ｂ）の構成の垂れ幕部６１が前面だけを抑えている構成と比較して、浄化空気２９の放散を抑制することが可能であり、有用である。
【０１２０】
図１１（ｇ）の構成の例が、係る図１１（ｆ）の構成の例と同等の口鼻マスク５５の正面図の構成の例であり、係る垂れ幕重複部６６は、表側を係る口鼻マスク５５の本体からの素材の可撓性シートが、そのまま一体の構成であり、係る素材の裏側に、別の長方形の可撓性シートを、係る長方形の向かい合う二辺の上部のみを係止することによって、垂れ幕重複部６６を形成する構成の例であり、係る係止部は、九十九折線で示された部分である。
【０１２１】
図１１（ｈ）の構成の例は、図１０（ｃ）の構成の例の口鼻マスク５５と同等の構成の例の正面図を示しており、係る重複中空部６７が、垂れ幕重複部６６から、マスク重複部６５にかけて設けられており、係るマスク重複部６５の重複開口Ａ６８が、係る口鼻マスク５５本体の、略中程に位置する構成の例である。
【０１２２】
図１２の構成の例は、顔面マスク９１の構成の例である。
【０１２３】
図１２（ａ）の構成の例の顔面マスク９１が、人の顔に装着された係る顔面マスク９１の構成の例の断面図を示しており、係る顔面マスク９１のみの正面図が、図１２（ｂ）の構成の例であり、係る図１２（ｂ）の構成の例の顔面マスク９１は、図１３（ｆ）の構成の例の口鼻マスク５５の構成の例と同様に、係る顔面マスク９１の、係る人の顔の前を覆う本体覆い部８３の下部に、垂れ幕重複部６６と、係る垂れ幕重複部６６を押し広げて係る垂れ幕重複部６６の重複中空部６７の空間を確保する為の開口スペーサー８２を備えた構成の例である。
係る構成とすることによって、鼻と口だけでなく、目の前まで浄化空気２９を送気することが可能な構成となり、目からのウィルスあるいは花粉等のアレルギー物質等の異物を遮断することが可能となり有用である。
係る開口スペーサー８２は、係る重複中空部６７内に設けられて係る重複中空部６７の開口状態を保持可能な構成として、係る重複中空部６７を送気される浄化空気２９の流れを助け、図１２（ｂ）の構成の例においては、係る口鼻マスク５５を顔に装着した際に、係る顔の顎に当たる部分に、３個設けられており、係る開口スペーサー８２によって保持された係る重複中空部６７の中空空間を、係る浄化空気２９が流れて、垂れ幕重複部６６からマスク重複部６５への空気の流れを確保する構成となり、特に、係る人の顔の顎の部分で、係る重複中空部６７が閉じてしまうのを抑制する効果を奏し、有用である。
係る開口スペーサー８２が備えられている構成であることによって、係る重複開口Ａ６８の開口状態をよりしっかりと保持することが可能な構成となり、有用である。
【０１２４】
係る開口スペーサー８２は、係る重複開口Ａ６８の近傍あるいは重複中空部６７において、係る重複中空部６７あるいは重複開口Ａ６８の開口状態を保持することが可能に、係る重複開口Ａ６８あるいは重複中空部６７を広げる様に設けられた部材であり、浄化空気２９の流れを止めることなく、しっかりと係る浄化空気２９をマスク中空５８内に送気することが可能な構成であり、有用である。
係る開口スペーサー８２の素材は、シリコンラバーやウレタンゴムや合成ゴム等のラバーや、エラストマー樹脂、スポンジ等の発泡性素材、ポリプロピレンやポリエチレン等のプラスチック、ポリアミドやポリエステル等の合成繊維や、綿や麻等の天然繊維、ガラス繊維、カーボン素材、鉄やアルミ等の金属、木、紙でも良く、弾性変形あるいは塑性変形の性質を備えた素材が人の顔等への当たる強さがソフトとなり望ましいが、例えば、あまり弾性変形あるいは塑性変形の性質の少ない素材を用いる場合も、鎖状の構造としたり、繊維状の構成として、当たりの強さや、形状の自由度を高めた構成としても良く、また、係る重複中空部６７の可撓性シートの外側あるいは内側に設けられた針金あるいは棒でも良く。その他、本発明の技術的思想の範囲内、即ち、同一の作用効果を発揮できる形状及び寸法、材質、構造の範囲内で変更することができるものである。
尚、係る開口スペーサー８２は、図面のレンガ模様で示された部分である。
【０１２５】
係る顔面マスク９１を構成する本体覆い部８３は、略透明である構成とすることによって、係る顔面マスク９１を装着した人からも装着した人の顔の表情も見え、且つ、係る顔面マスク９１と係る顔面マスク９１顔面マスク９１を装着した人の顔の間のマスク中空５８内に、浄化空気２９を送気可能である構成であることによって、係るマスク中空５８内から浄化空気が流れ出てくる構成である為、外からのウィルスや花粉等の異物の、係るマスク中空５８内への侵入を抑制可能であり有用である。
【０１２６】
尚、係る本体覆い部８３の縁部は、全周を係るマスクを装着している人の顔と密着させても良いし、係る本体覆い部８３の下部及び一部を密着させる構成としても良く、限定しない。
尚、係る垂れ幕重複部６６を、係る本体覆い部８３の下側に懸垂する様にして設け、また、係る垂れ幕重複部６６に開口スペーサー８２を備えた構成として係る人の顎の部分で係る本体覆い部８３と挟み込むようにして支える構成とすることによって、係る顔面マスク９１の係る顔への密着性と、安定性と、自由度を向上することが可能な構成となり、有用である。
【０１２７】
係る顔面マスク９１の自由度が向上するというのは、つまり、例えば係る垂れ幕重複部６６をホースやチューブである構成に対して、様々な形状やサイズの携帯浄化器１に対応可能で、有用であり、また、製造面においても、より容易に製造可能な構成であるので、製造コスト面においても、有用性を備えた構成である。
係る顔面マスク９１の自由度が向上する、製造コストの低減への有用という点については、各図における口鼻マスク５５の構成の例においても同様である。
【０１２８】
尚、係る顔面マスク９１の構成においても、図７から図１６のいずれかの説明にもある口鼻マスク５５の説明と同様に、調整可能開口部、あるいは  マスク係止部Ａ６３、あるいはマスク重複部６５、あるいは重複開口Ａ６８、重複開口Ｂ６９、重複開口Ｃ７９、あるいは重複係止部８０、あるいは内連通穴８１、あるいは開口スペーサー８２、あるいは外連通穴８４あるいは、その他各図の説明にある構成を備える構成としても良い。  
尚、本図の構成の例においては、係る本体覆い部８３は、顔面の略全体を覆った構成の例であるが、口だけでも良いし、口と鼻を覆っても良いし、顔面の略全体を覆った構成としても良く、限定しない。
【０１２９】
図１２（ｃ）の構成の例の顔面マスク９１が、係る顔面マスク９１に、垂れ幕部６１が設けられた構成の例である。
係る垂れ幕部６１は、図９の構成の例にも示されているように、巻保持構造部９３としての紐状体が、係る携帯浄化器１の浄化気口２３に巻くようにして設けられている構成の例である。
図９の構成の例は、可撓性シートによって形成される口鼻マスク５５の構成の例であるが、略板状の顔面マスク９１に、垂れ幕部６１を備えた構成としても、図９の構成の例と同様に有用性のある構成となるものであり、また、図１２（ａ）あるいは図１２（ｂ）の説明にもあるような、板状の顔面マスク９１とする構成の有用性をそれぞれ兼ね備えた構成となり、有用である。
【０１３０】
尚、一連の本図の実施例において、
係る感染防止筒２１は、可撓性のある軟質な素材でも、硬質な素材でも良く、シリコンゴムでも、ゴムでも、ポリプロピレンやポリアミド等の合成樹脂でも、アルミニウムや鉄等の金属でも、陶器でも木でも、紙でも良く、長くても、短くても、太くても、細くても良く、また、係る形状も、円筒でも、楕円筒でも、扁平な筒でも、円錐台筒でも、異形な中空部を備えた形状でも良く、その他本発明の技術的思想の範囲内、即ち、同一の作用効果を発揮できる形状及び寸法、材質の範囲内で変更することができるものである。
【０１３１】
また、係る空気浄化部１２のウィルスやガス等の化学物質に対する無毒化、不活化の効果については、対象とするウィルスやガス、花粉、粒子、悪臭等の化学物質に対する空気浄化部１２の の個別の性能によるものであり、係る空気浄化部１２の構成は、対象とするウィルスやガス、花粉、粒子、悪臭等に合わせて設定することも可能である。
特に、人４９の命に関わるようなウィルスに特化した構成とすることも有用である。
【０１３２】
また、係るそれぞれの形態の携帯浄化器１と口鼻マスク５５、あるいは顔面マスク９１を合わせた構成で使用することによって、係る口鼻マスク５５、あるいは顔面マスク９１自体の表面にウィルス等が付着することを抑制可能であるので、係る口鼻マスク５５、あるいは顔面マスク９１の脱着時に、手にウィルス等が付着して、係る手に付着したウィルスによって感染するような危険を抑止することが可能な構成であり、つまり、係る口鼻マスク５５、あるいは顔面マスク９１の表面を流れる浄化空気２９あるいはマスク中空５８内の正圧によって、係る口鼻マスク５５あるいは顔面マスク９１の表面への異物等の付着を抑制する効果もあり、係る口鼻マスク５５あるいは顔面マスク９１と携帯浄化器１を合わせた構成は、防疫上も、あるいは花粉等に対しても極めて有用性の高い構成である。
【０１３３】
また、可撓性シートは、可とう性を有したシート状で、不織布、発泡性の生地、テント生地やメッシュ生地等の布状部材、他各種繊維素材、各種ゴムや各種樹脂シート製、綿、麻等の天然素材、紙製、金属メッシュ等金属、ガラス繊維、また、色も透明、蛍光、光っても良く、その他、必要に応じた強度、機能を有し、本発明と同一の作用効果を発揮できる範囲内でその素材を限定しない。
【０１３４】
また、各図における口鼻マスク５５あるいは顔面マスク９１の例においては、係る口鼻マスク５５あるいは顔面マスク９１を耳掛けによって係る口鼻マスク５５あるいは顔面マスク９１を顔に装着する構成の例であり、係る口鼻マスク５５あるいは顔面マスク９１を顔に装着部材を、顔装着部９０とし、係る顔装着部９０である耳掛けは、頭に巻いて装着する構成としても良いし、その他、係る口鼻マスク５５あるいは顔面マスク９１を顔に装着する構成においては、本願発明の特徴的な作用、効果が発揮される範囲において変更することが可能であり、限定しない。
【０１３５】
また、各図における本体覆い部８３が可撓性シートと板状である構成において、可撓性シートである構成においては、より、携帯性、製造コスト、デザインや形状のバリエーションあるいは自由度の豊かさ、色彩の豊かさ、製造コスを抑えられることによる使い捨て性等の有用性が多くあり、比較的日常的なマスクとしては普及している構成であり、だからこそ、各図におけるような構成の有用性が高く発揮される面が多く、一方、係る本体覆い部８３が板状である構成の例においては、人の顔に直接触れ難く一定の距離を保持し易く、化粧が乱れ難く、皮膚等の病気でマスクが顔に密着することが好ましくない人、また、係る板状を略透明とすることによって、表情が見えやすい等の有用性もあり、それぞれ異なり有用性を備えた構成となり、各図の構成により、更にその有用性を高めるものであり、必要に応じて、必要な構成を適宜選択すべきものである。
また、口鼻マスク５５と顔面マスク９１の例においても、前記本体覆い部８３が可撓性シートと板状である構成における有用性の違いと同様の違いを有すると共に、口鼻マスク５５においては、上記の可撓性シートの本体覆い部８３である構成同様であり、汎用度あるいは自由度が高い構成である一方、顔面マスク９１の構成の例は、目へのウィルスや花粉等の異物の抑制が可能な構成であるという有用性を備えた構成であり、各図の構成により、更にその有用性を高めるものである。
【産業上の利用可能性】
【０１３６】
本願発明は、人の場所に関わらず、手軽に、またより確実に、人が吸う空気に含まれるウィルスや、花粉、空気の浄化が可能であり、有用である。
【符号の説明】
【０１３７】
１   携帯浄化器
２   マスクユニット
１１  ファン
１２  空気浄化部
１３  放散抑制板
１５  加熱部
１７  空気の流れ
１８  スライドレール
１９  流路
２０  光源
２１    感染防止筒
２３   浄化気口
２４   未浄気口
２５   方向定め具
２６   方向定め足
２７    蛇腹構造
２８   未浄空気
２９   浄化空気
３０   蛇腹口
３１   回動回転口
３２   回動係止具
３３   チューブ
３４  体装着具
３５  首紐
３６  電気コード
３７  ヘアピンカーブ
３８  触媒材
４９  人
５３   加熱フィルター
５４  浄化気誘導部
５５  口鼻マスク
５６  マスク開口
５７  シール部
５８  マスク中空
５９  リターン気
６０  滞留気
６１  垂れ幕部
６２  幕位置保持部
６３  マスク係止部Ａ
６４  マスク係止部Ｂ
６５  マスク重複部
６６  垂れ幕重複部
６７  重複中空部
６８  重複開口Ａ
６９  重複開口Ｂ
７９  重複開口Ｃ
８０  重複係止部
８１  内連通穴
８２  開口スペーサー
８３  本体覆い部
８４  外連通穴
９０   顔装着部
９１  顔面マスク
９３  巻保持構造部
９４  エア通路
【要約】
【課題】人の移動に合わせて、簡易で自由度が高く、効率的に人が吸う空気中のウィルスや菌、花粉、あるいは汚染された空気やガスを無毒化し、送気するマスクユニットを提供する。
【解決手段  】
マスクである口鼻マスク（５５）または、顔面マスク（９１）は、空気浄化部（１２）を備えた装置である携帯浄化器（１）からの浄化空気（２９）を排気する為の浄化気口（２３）を、覆う様にして前記携帯浄化器（１）に、前記口鼻マスク（５５）と一体に備えられた垂れ幕部（６１）を係止して用いられ、前記垂れ幕部（６１）は、マスク係止部Ａ（６３）または幕位置保持部（６２）を備え、前記マスク係止部Ａ（６３）は、前記垂れ幕部（６１）に設けられた前記携帯浄化器（１）との係止部であり、前記幕位置保持部（６２）は、前記垂れ幕部（６１）６１の下部近傍に設けられた重りまたは芯材であり、前記浄化気口（２３）から排気された浄化された空気を、前記人の顔の方へ誘導可能とする構成である。
【選択図】図１【図１】
0006941724.tif 000002
【図２】
0006941724.tif 000003
【図３】
0006941724.tif 000004
【図４】
0006941724.tif 000005
【図５】
0006941724.tif 000006
【図６】
0006941724.tif 000007
【図７】
0006941724.tif 000008
【図８】
0006941724.tif 000009
【図９】
0006941724.tif 000010
【図１０】
0006941724.tif 000011
【図１１】
0006941724.tif 000012
【図１２】
0006941724.tif 000013